(57)【要約】  通信システムにおいて動作可能な装置について説明する。本装置は、別の装置からネイバーリレーションメッセージを受信するための手段を含む。本装置は、ネイバーリレーションメッセージに基づいてクラスタ情報を生成するための手段をも含む。本装置は、クラスタ情報を他の装置に送信するための手段をさらに含む。
2013530637.tif 000002
【特許請求の範囲】
【請求項１】
通信システムにおいて動作可能な装置（１４６）であって、
別の装置（１１８）からネイバーリレーションメッセージを受信するための手段と、
前記ネイバーリレーションメッセージに基づいてクラスタ情報（１５６）を生成するための手段と、
前記クラスタ情報（１５６）を前記他の装置（１１８）に送信するための手段と
を備える、装置（１４６）。
【請求項２】
前記ネイバーリレーションメッセージがセル情報（１３２）に基づく、請求項１に記載の装置（１４６）。
【請求項３】
前記ネイバーリレーションメッセージが拡張情報（１３４）に基づく、請求項１に記載の装置（１４６）。
【請求項４】
前記装置（１４６）が中央ユニットであり、前記他の装置が基地局（１１８）である、請求項１に記載の装置（１４６）。
【請求項５】
前記ネイバーリレーションメッセージを受信するための前記手段と前記クラスタ情報（１５６）を送信するための前記手段とが、中央ユニットインターフェースとＳ１インターフェースとからなるグループから選択された１つを備える、請求項１に記載の装置（１４６）。
【請求項６】
前記装置（１４６）がサービングゲートウェイ中に常駐する、請求項１に記載の装置（１４６）。
【請求項７】
前記装置（１４６）がネットワークマネージャ中に常駐する、請求項１に記載の装置（１４６）。
【請求項８】
前記装置（１４６）が、オペレーションおよびメンテナンスブロックまたはモジュール中に常駐する、請求項１に記載の装置（１４６）。
【請求項９】
通信システムにおいて動作可能な装置（１１８）であって、
セル情報（１０８）を受信するための手段と、
前記セル情報（１０８）に基づいてネイバーリレーションテーブル（１３０）を生成するための手段と、
前記ネイバーリレーションテーブル（１３０）に基づくネイバー情報を別の装置（１４６）に送信するための手段と
を備える、装置（１１８）。
【請求項１０】
ネイバー情報を送信するための前記手段が、１つまたは複数のネイバーリレーションメッセージを送信するための手段を備える、請求項９に記載の装置（１１８）。
【請求項１１】
前記他の装置（１４６）からクラスタ情報（１４０）を受信するための手段と、
前記クラスタ情報（１４０）に基づいて通信するための手段と
をさらに備える、請求項９に記載の装置（１１８）。
【請求項１２】
他の情報（１１０）を受信するための手段と、
前記他の情報（１１０）に基づいて前記ネイバーリレーションテーブル（１３０）中に拡張情報（１３４）を生成するための手段と
をさらに備える、請求項９に記載の装置（１１８）。
【請求項１３】
前記他の情報（１１０）が通信状態情報を備える、請求項１２に記載の装置（１１８）。
【請求項１４】
前記他の情報（１１０）がワイヤレス通信デバイス識別子を備える、請求項１２に記載の装置（１１８）。
【請求項１５】
拡張情報（１３４）を生成するための前記手段が、ランクを生成するための手段を備える、請求項１２に記載の装置（１１８）。
【請求項１６】
前記装置（１１８）が基地局（１１８）であり、前記他の装置（１４６）が中央ユニットである、請求項９に記載の装置（１１８）。
【請求項１７】
ネイバー情報を送信するための前記手段が中央ユニットインターフェースを備える、請求項９に記載の装置（１１８）。
【請求項１８】
装置（１４６）によって動作可能な方法であって、
前記装置（１４６）によって、別の装置（１１８）からネイバーリレーションメッセージを受信することと、
前記装置（１４６）によって、前記ネイバーリレーションメッセージに基づいてクラスタ情報を生成することと、
前記クラスタ情報（１５６）を前記他の装置（１１８）に送信することと
を備える、方法。
【請求項１９】
前記ネイバーリレーションメッセージがセル情報（１３２）に基づく、請求項１８に記載の方法。
【請求項２０】
前記ネイバーリレーションメッセージが拡張情報（１３４）に基づく、請求項１８に記載の方法。
【請求項２１】
前記装置（１４６）が中央ユニットであり、前記他の装置が基地局（１１８）である、請求項１８に記載の方法。
【請求項２２】
前記ネイバーリレーションメッセージを受信することと前記クラスタ情報（１５６）を送信することとが、中央ユニットインターフェースとＳ１インターフェースとからなるグループから選択された１つを使用して実行される、請求項１８に記載の方法。
【請求項２３】
前記装置（１４６）がサービングゲートウェイ中に常駐する、請求項１８に記載の方法。
【請求項２４】
前記装置（１４６）がネットワークマネージャ中に常駐する、請求項１８に記載の方法。
【請求項２５】
前記装置（１４６）が、オペレーションおよびメンテナンスブロックまたはモジュール中に常駐する、請求項１８に記載の方法。
【請求項２６】
装置（１１８）によって動作可能な方法であって、
セル情報（１０８）を受信することと、
前記装置（１１８）上で、前記セル情報（１０８）に基づいてネイバーリレーションテーブル（１３０）を生成することと、
前記ネイバーリレーションテーブル（１３０）に基づくネイバー情報を別の装置（１４６）に送信することと
を備える、方法。
【請求項２７】
ネイバー情報を送信することが、１つまたは複数のネイバーリレーションメッセージを送信することを備える、請求項２６に記載の方法。
【請求項２８】
前記他の装置からクラスタ情報（１４０）を受信することと、
前記クラスタ情報（１４０）に基づいて通信することと
をさらに備える、請求項２６に記載の方法。
【請求項２９】
他の情報（１１０）を受信することと、
前記他の情報（１１０）に基づいて前記ネイバーリレーションテーブル（１３０）中に拡張情報（１３４）を生成することと
をさらに備える、請求項２６に記載の方法。
【請求項３０】
前記他の情報（１１０）が通信状態情報を備える、請求項２９に記載の方法。
【請求項３１】
前記他の情報（１１０）がワイヤレス通信デバイス識別子を備える、請求項２９に記載の方法。
【請求項３２】
拡張情報（１３４）を生成することが、ランクを生成することを備える、請求項２９に記載の方法。
【請求項３３】
前記装置（１１８）が基地局であり、前記他の装置（１４６）が中央ユニットである、請求項２６に記載の方法。
【請求項３４】
ネイバー情報を送信することが、中央ユニットインターフェースを使用して実行される、請求項２６に記載の方法。
【請求項３５】
通信システムにおいて動作可能なコンピュータプログラム製品であって、前記コンピュータプログラム製品が、命令をその上に有する非一時的有形コンピュータ可読媒体を備え、前記命令が、
装置（１４６）に、別の装置（１１８）からネイバーリレーションメッセージを受信させるためのコードと、
前記装置（１４６）に、前記ネイバーリレーションメッセージに基づいてクラスタ情報（１５６）を生成させるためのコードと、
前記装置（１４６）に、前記クラスタ情報を前記他の装置（１１８）に送信させるためのコードと
を備える、コンピュータプログラム製品。
【請求項３６】
通信システムにおいて動作可能なコンピュータプログラム製品であって、前記コンピュータプログラム製品が、命令をその上に有する非一時的有形コンピュータ可読媒体を備え、前記命令が、
装置（１１８）に、セル情報（１０８）を受信させるためのコードと、
前記装置（１１８）に、前記セル情報（１０８）に基づいてネイバーリレーションテーブル（１３０）を生成させるためのコードと、
前記装置（１１８）に、前記ネイバーリレーションテーブル（１３０）に基づくネイバー情報を別の装置（１４６）に送信させるためのコードと
を備える、コンピュータプログラム製品。
【発明の詳細な説明】
【技術分野】
【０００１】
[関連出願の相互参照]
本出願は、参照により本明細書に組み込まれる、２０１０年５月２６日に出願された「ADAPTIVE CELL CLUSTERING IN A MULTI CLUSTER ENVIRONMENT」と題する、米国仮出願第６１／３４８，５０２号に関し、その優先権を主張する。
【０００２】
[技術分野]
本開示は、一般に電子通信に関する。より詳細には、本開示は、ネイバーリレーションを使用してセルをクラスタリングするための装置に関する。
【背景技術】
【０００３】
[背景]
最近の数十年で、電子デバイスの使用は一般的になった。特に、電子技術の進歩は、ますます複雑で有用になる電子デバイスのコストを低減した。コスト低減および消費者需要により、電子デバイスが現代社会において事実上ユビキタスであるほど電子デバイスの使用が激増した。電子デバイスの使用が拡大するにつれて、電子デバイスの新しい改善された特徴に対する需要も拡大した。より詳細には、より高速に、より効率的に、またはより高品質で機能を実行する電子デバイスがしばしば求められる。
【発明の概要】
【０００４】
一部の電子デバイス（たとえば、セルラー電話、スマートフォン、コンピュータなど）は他の電子デバイスと通信する。たとえば、ワイヤレス通信デバイス（たとえば、セルラー電話、スマートフォンなど）は基地局とワイヤレスに通信し得、その逆も同様である。これは、ワイヤレス通信デバイスがボイス、ビデオ、データなどにアクセスし、および／またはそれらを通信することを可能にし得る。
【０００５】
場合によっては、ワイヤレス通信デバイスは、複数の基地局をもつ通信レンジ内にあり得る。とはいえ、基地局は、この状況を利用するために、ワイヤレス通信デバイスとのそれらの通信を協調させる必要があり得る。しかしながら、通信状態は時間とともに変化するので、有利な協調を達成することがより困難になり得る。この説明からわかるように、基地局間の協調を改善するシステムおよび方法が有益であり得る。
【図面の簡単な説明】
【０００６】
【図１】ネイバーリレーション(neighbor relations)を使用してセルをクラスタリング(clustering)するためのシステムおよび方法が実装され得る、１つの基地局と１つの電子デバイスとの一構成を示すブロック図。
【図２】ネイバーリレーションを使用してセルをクラスタリングするためのシステムおよび方法が実装され得る、１つの電子デバイスと複数の基地局との一例を示すブロック図。
【図３】ネイバーリレーションを使用してセルをクラスタリングするための方法の一構成を示す流れ図。
【図４】ネイバーリレーションを使用してセルをクラスタリングするための方法の別の構成を示す流れ図。
【図５】ネイバーリレーションを使用してセルをクラスタリングするための方法の別の構成を示す流れ図。
【図６】ネイバーリレーションを使用してセルをクラスタリングするためのシステムおよび方法が実装され得る、１つの発展型ノードＢ（ｅＮＢ；evolved Node B）と１つの中央ユニット(central unit)との一構成を示すブロック図。
【図７】ネイバーリレーションを使用してセルをクラスタリングするためのシステムおよび方法が実装され得る、いくつかの発展型ノードＢ（ｅＮＢ）と１つの中央ユニットとの一例を示す図。
【図８】ネイバーリレーションを使用してセルをクラスタリングするための方法の一構成を示す流れ図。
【図９】ネイバーリレーションを使用してセルをクラスタリングするための方法の別の構成を示す流れ図。
【図１０】ネイバーリレーションを使用してセルをクラスタリングするための方法の別の構成を示す流れ図。
【図１１】多入力多出力（ＭＩＭＯ）システムにおける送信機および受信機のブロック図。
【図１２】本明細書で説明するネイバーリレーション方法を実行するための装置のハードウェア実装形態の一部を示す図。
【図１３】本明細書で説明するクラスタリング方法を実行するための装置のハードウェア実装形態の一部を示す図。
【発明を実施するための形態】
【０００７】
[詳細な説明]
本明細書で開示するシステムおよび方法は、セルをクラスタリングするように構成された基地局について説明する。基地局は、１つまたは複数のワイヤレス通信デバイスから情報を受信し、その情報を使用してネイバーリレーションテーブルを生成する。いくつかの構成では、情報は、セル／セクタ情報および／または他の情報（たとえば、ワイヤレス通信デバイス識別子、チャネル状態情報など）を含み得る。たとえば、基地局は、ネイバーリレーションテーブル中に拡張情報(extended information)を生成するために他の情報を使用し得る。基地局は、ネイバーリレーションテーブルに基づく情報を中央ユニットに与える。中央ユニットは、基地局から受信した情報に基づいてクラスタ情報(cluster information)を生成する。中央ユニットは、このクラスタ情報を基地局に送り、基地局は、それ自体と別の基地局とワイヤレス通信デバイスとの間の通信を協調させるためにクラスタ情報を使用し、それによって、２つ以上のセルをクラスタリングする。このようにしてセルをクラスタリングすることは、システムにおける通信性能を改善し得る。
【０００８】
以下の説明では、簡潔性および明暸性の理由で、Ｉｎｔｅｒｎａｔｉｏｎａｌ  Ｔｅｌｅｃｏｍｍｕｎｉｃａｔｉｏｎ  Ｕｎｉｏｎ（ＩＴＵ）によって３ｒｄ  Ｇｅｎｅｒａｔｉｏｎ  Ｐａｒｔｎｅｒｓｈｉｐ  Ｐｒｏｊｅｃｔ（３ＧＰＰ）の下で公表されたＬＴＥ規格に関連する用語を使用する。本発明は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）などに関係する技術およびその関連規格など、他の技術にも適用可能であることに留意されたい。異なる技術に関連する用語は異なることがある。たとえば、考察する技術に応じて、ワイヤレスデバイスは、ほんのいくつかの例を挙げれば、ユーザ機器（ＵＥ）、移動局、モバイル端末、加入者ユニット、アクセス端末などと時々呼ばれることがある。同様に、基地局は、アクセスポイント、ノードＢ、発展型ノードＢ（ｅＮＢ）などと時々呼ばれることがある。適用可能なとき、異なる用語が異なる技術に適用されることに留意されたい。
【０００９】
次に、図を参照しながら様々な構成について説明する。同様の参照符号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００１０】
図１は、ネイバーリレーションを使用してセルをクラスタリングするためのシステムおよび方法が実装され得る、１つの基地局１１８と１つの電子デバイス１４６との一構成を示すブロック図である。本明細書では「セル」という用語は、セルおよび／またはセクタを指すために使用され得ることに留意されたい。特に、図１は、１つまたは複数のワイヤレス通信デバイス１０２と、１つまたは複数の基地局１１８と、電子デバイス１４６とを示している。１つまたは複数のワイヤレス通信デバイス１０２は、情報１１６を１つまたは複数の基地局１１８と通信し得る。たとえば、１つまたは複数のワイヤレス通信デバイス１０２はそれぞれ、１つまたは複数の基地局１１８との間で情報１１６を受信し、および／または情報１１６を送信するために、受信機１０４と、送信機１１２と、１つまたは複数のアンテナ１１４とを含む。本明細書では「装置」という用語は、基地局、電子デバイス（たとえば、「中央ユニット」）、ワイヤレス通信デバイスおよび／または他のデバイスを指すために使用され得ることに留意されたい。また、「通信システム」が、基地局と、電子デバイス（たとえば、「中央ユニット」）と、ワイヤレス通信デバイスと、（１つまたは複数の）他のデバイスとのうちの１つまたは複数を含み得ることに留意されたい。
【００１１】
各ワイヤレス通信デバイス１０２は、測定ブロック／モジュール１０６を含み得る。本明細書で使用する「ブロック／モジュール」という句は、特定の構成要素がハードウェア、ソフトウェアまたは両方の組合せで実装され得ることを示す。たとえば、測定ブロック／モジュール１０６は、回路などのハードウェア構成要素、および／あるいは命令またはコードなどのソフトウェア構成要素などを用いて実装され得る。
【００１２】
測定ブロック／モジュール１０６は、セル／セクタ情報１０８を測定する（たとえば、セル／セクタ情報１０８の受信、キャプチャ、検出などを行う）ために使用され得る。たとえば、各基地局１１８は、１つまたは複数のセルまたはセクタに位置する１つまたは複数のワイヤレス通信デバイス１０２と通信し得る。より詳細には、ワイヤレス通信デバイス１０２は、受信機１０４を使用して、１つまたは複数のセルまたはセクタについてのセル／セクタ情報１０８を取得するために使用され得る信号を受信し得る。セルおよびセクタについて、以下でより詳細に説明する。セル／セクタ情報１０８は、ワイヤレス通信デバイス１０２が検出し得る各セルおよび／またはセクタに関する情報を含み得る。一構成では、セル／セクタ情報１０８は、ワイヤレス通信デバイス１０２によって検出されたセル／セクタの各々についての１つまたは複数の識別子を含む。識別子の例は、番号、ビットシーケンス、英数字シーケンス、および／あるいは特定のセルまたはセクタを識別する何らかの他の指示を含む。たとえば、セル／セクタ情報１０８は、ワイヤレス通信デバイス１０２によって検出された各セルまたはセクタについてのターゲットセル識別子（ＴＣＩ）を含み得る。
【００１３】
いくつかの構成では、測定ブロック／モジュール１０６は、他の情報１１０を測定し、および／または有し得る（たとえば、他の情報１１０の受信、キャプチャ、検出などを行い得る）。他の情報１１０は、１つまたは複数の基地局１１８との通信状態に関する情報、および／または他の情報を含み得る。たとえば、他の情報１１０は、信号強度測定値、チャネル品質測定値、チャネルローディング、間違って受信したデータの量（たとえば、ドロップしたパケットの数、再送信要求の数など）、データレート、変調タイプ、ワイヤレス通信デバイス１０２識別子などを含み得る。たとえば、他の情報１１０は、基準信号受信電力（ＲＳＲＰ）測定値、チャネル品質インジケータ（ＣＱＩ）測定値、ユーザ機器識別子（ＵＥ  ＩＤ）などを含み得る。他の情報１１０は、ワイヤレス通信デバイス１０２が検出することが可能であるセルまたはセクタのうちの１つまたは複数について（たとえば、受信機１０４を使用して）取得され得る。
【００１４】
１つまたは複数の基地局１１８は、受信機１２２、送信機１２４および／あるいは１つまたは複数のアンテナ１４２ａ〜ｎを使用して、情報１１６を１つまたは複数のワイヤレス通信デバイス１０２と通信し得る。たとえば、１つまたは複数の基地局１１８は、１つまたは複数のワイヤレス通信デバイス１０２との間で電磁信号を送信し、電磁信号を受信する。基地局１１８の各々は、セルまたはセクタカバレージエリア内にある１つまたは複数のワイヤレス通信デバイス１０２と通信し得ることに留意されたい。たとえば、セルまたはセクタは、基地局１１８によってサービスされる地理的エリアである。単一の基地局１１８は、通信のために１つまたは複数のセルまたはセクタを与え得る。たとえば、基地局１１８は、ワイヤレス通信デバイス１０２との通信のために３つのセクタを与え得る。本明細書で使用する「セル」という用語は、セルおよび／またはセクタを指すために使用され得る。
【００１５】
各基地局１１８は、通信ブロック／モジュール１２０、ネイバーリレーションブロック／モジュール１２８および／または協働ブロック／モジュール１３８を含み得る。各基地局１１８は、１つまたは複数のワイヤレス通信デバイス１０２、他の基地局１１８および／または電子デバイス１４６など、他のデバイスと通信するために通信ブロック／モジュール１２０を使用し得る。通信ブロック／モジュール１２０は、受信機１２２および／または送信機１２４を含み得る。
【００１６】
受信機１２２および／または送信機１２４は、（たとえば、１つまたは複数のアンテナ１４２ａ〜ｎを使用して）電磁信号を受信および／または送信するために使用され得る。たとえば、基地局１１８は、ワイヤレス（たとえば、「オーバージエア」（ＯＴＡ））シグナリングを使用して、１つまたは複数のワイヤレス通信デバイス１０２、他の基地局１１８および／または電子デバイス１４６とワイヤレス通信し得る。
【００１７】
いくつかの構成では、通信ブロック／モジュール１２０は、ワイヤード接続を使用して他のデバイスと通信するために使用され得る。たとえば、通信ブロック／モジュール１２０は、他の基地局１１８および／または電子デバイス１４６と通信するために使用されるブロック／モジュールを含み得る。一構成では、通信ブロック／モジュール１２０は、「Ｘ２」インターフェースを使用して他の基地局１１８と通信し、および／または「Ｓ１」インターフェースを使用して電子デバイス１４６と通信するために使用される。
【００１８】
通信ブロック／モジュール１２０は、他のブロック／モジュールとの間で情報を与え、および／または情報を取得し得る。たとえば、通信ブロック／モジュール１２０は、受信したセル／セクタ情報１０８および／または他の情報１１０などの情報１２６をネイバーリレーションブロック／モジュール１２８に与え得る。追加または代替として、通信ブロック／モジュール１２０は、電子デバイス１４６への送信のために、ネイバーリレーションブロック／モジュール１２８から（１つまたは複数の）ネイバーリレーションテーブル１３０（たとえば、ネイバーリレーションテーブル１３０全体、ネイバーリレーションテーブル１３０の部分など）に基づく情報１２６を受信または取得し得る。ネイバーリレーションテーブル１３０に基づく（送信され得る）ネイバー情報(neighbor information)は、「ネイバーリレーションメッセージ(neighbor relation message)」または「ネイバーリレーションテーブル（ＮＲＴ）メッセージ」と呼ばれることがある。通信ブロック／モジュール１２０はまた、協働ブロック／モジュール１３８に情報１３６（たとえば、クラスタ情報１４０）を与え得る。追加または代替として、通信ブロック／モジュール１２０は、１つまたは複数の他のデバイス（たとえば、他の基地局１１８）への送信のために、協働ブロック／モジュール１３８から情報１３６を受信または取得し得る。
【００１９】
ネイバーリレーションブロック／モジュール１２８は、近隣セルまたはセクタに関する情報を管理するために使用され得る。たとえば、ネイバーリレーションブロック／モジュール１２８は、１つまたは複数のワイヤレス通信デバイス１０２によって検出可能であるセルまたはセクタに関する情報を管理し得る。一構成では、ワイヤレス通信デバイス１０２のうちの１つまたは複数は、セル／セクタ情報１０８を（たとえば、情報１１６の一部として）基地局１１８に送り得る。基地局１１８は、セル／セクタ情報１０８を受信し、セル／セクタ情報１０８をセル／セクタ情報１３２として１つまたは複数のネイバーリレーションテーブル１３０に記憶し得る。たとえば、（１つまたは複数の）ネイバーリレーションテーブル１３０中のセルまたはセクタに関する情報は、「ネイバーリレーション」と呼ばれることがある。
【００２０】
１つまたは複数のネイバーリレーションテーブル１３０は、ネイバーリレーションブロック／モジュール１２８中に含まれ得、および／またはそれによって管理され得る。ネイバーリレーションテーブル１３０中に含まれるセル／セクタ情報１３２は、ワイヤレス通信デバイス１０２によって送られるセル／セクタ情報１０８と同じフォーマットであることも、同じフォーマットでないこともあることに留意されたい。より詳細には、基地局１１８は、ネイバーリレーションテーブル１３０中にセル／セクタ情報１３２を生成するために、受信したセル／セクタ情報１０８のフォーマットに他の情報を追加し、および／またはそのフォーマットを変更し得る。一構成では、ネイバーリレーションテーブル１３０は、現在の３ＧＰＰ仕様によって規定されているネイバーリレーションテーブル（ＮＲＴ）であり得る。たとえば、セル／セクタ情報１３２は、１つまたは複数のワイヤレス通信デバイス１０２によって検出されたセル／セクタについてのセル／セクタ識別子（たとえば、ターゲットセル識別子（ＴＣＩ））を含み得る。
【００２１】
いくつかの構成では、ネイバーリレーションテーブル１３０は、拡張情報１３４をも含み得る。拡張情報１３４は、１つまたは複数のワイヤレス通信デバイス１０２から受信した他の情報１１０に基づき得る。たとえば、拡張情報１３４は、通信状態に関する情報および／または他の情報を含み得る。一構成では、拡張情報１３４は、ランキング、チャネル品質インジケータ（ＣＱＩ）、基準信号受信電力（ＲＳＲＰ）測定値および／または対応するワイヤレス通信デバイス１０２識別子を含み得る。ワイヤレス通信デバイス１０２識別子の一例は、ユーザ機器識別子（ＵＥ  ＩＤ）（たとえば、セル無線ネットワーク一時識別子（Ｃ−ＲＮＴＩ））である。ネイバーリレーションテーブル１３０は、いくつかの構成では、拡張情報１３４と併せて、セル／セクタ情報１３２に基づく情報をさらに含み、および／またはセル／セクタ情報１３２に基づいて構造化され得る。たとえば、基地局１１８（たとえば、ネイバーリレーションブロック／モジュール１２８）は、拡張情報１３４に基づいてセル／セクタ情報１３２（および／または拡張情報１３４）をランク付けし得る。たとえば、拡張情報１３４中に含まれる対応するチャネル状態／測定値に基づいて、（セル／セクタ情報１３２によって示される）セル／セクタがランク付けされ得る。いくつかの構成では、１つまたは複数のネイバーリレーションテーブル１３０中にネイバーリレーションインデックスがさらに含められ得る。たとえば、ネイバーリレーションエントリは、ネイバーリレーションインデックス番号を使用して番号付けされ得る。
【００２２】
１つまたは複数の基地局１１８は、情報１４４を電子デバイス１４６と通信し得る。電子デバイス１４６の例は、１つまたは複数のコンピュータ、サーバ、ゲートウェイ、組込みシステムなどを含む。電子デバイス１４６は、通信ブロック／モジュール１４８および／またはクラスタ判断ブロック／モジュール１５２を含み得る。通信ブロック／モジュール１４８は、ワイヤードおよび／またはワイヤレス通信に基づいて通信するために使用され得る。たとえば、電子デバイス１４６は、ワイヤードおよび／またはワイヤレスリンクを使用して、情報１４４を１つまたは複数の基地局１１８と通信し得る。たとえば、通信ブロック／モジュール１４８は、「Ｓ１」インターフェース、別のインターフェース（たとえば、「中央ユニットインターフェース」）を使用して、および／またはオーバージエア（ＯＴＡ）シグナリングを使用して１つまたは複数の基地局１１８と通信し得る（たとえば、１つまたは複数の基地局１１８との間で情報１４４を送信し、および／または情報１４４を受信し得る）。ワイヤレス通信が使用される場合、電子デバイス１４６は、１つまたは複数のアンテナ（図示せず）を含み得る。
【００２３】
通信ブロック／モジュール１４８は、クラスタ判断ブロック／モジュール１５２との間で（受信した）情報１５０を与え、および／または（送信のための）情報１５０を取得し得る。たとえば、通信ブロック／モジュール１４８は、（情報１５０の一部として）１つまたは複数の基地局１１８から受信された１つまたは複数のネイバーリレーションメッセージ１５４をクラスタ判断ブロック／モジュール１５２に与え得る。いくつかの構成では、１つのメッセージにマッピングされる複数のネイバーリレーションメッセージ１５４は、基地局１１８から受信され得る。このメッセージは、電子デバイス１４６によって復号および／またはデマッピングされ得る。追加または代替として、通信ブロック／モジュール１４８は、１つまたは複数の基地局１１８への送信のために、クラスタ判断ブロック／モジュール１５２からクラスタ情報１５６を（情報１５０の一部として）取得または受信し得る。いくつかの構成では、クラスタ情報１５６は、１つまたは複数のクラスタメッセージにフォーマットされ得る。これらのクラスタメッセージは、電子デバイス１４６による送信のために、個々に送信されるか、あるいは１つのメッセージに符号化および／またはマッピングされ得る。
【００２４】
クラスタ判断ブロック／モジュール１５２は、クラスタ情報１５６を判断するために使用され得る。たとえば、クラスタ判断ブロック／モジュール１５２は、１つまたは複数のネイバーリレーションメッセージ１５４に基づいてクラスタ情報１５６を判断し得る。クラスタ情報１５６は、どのセル／セクタがクラスタリングされるか、またはクラスタリングされるべきかを示すために使用され得る。電子デバイス１４６は、クラスタ情報１５６を１つまたは複数の基地局１１８に送信し得る。
【００２５】
１つまたは複数の基地局１１８は、電子デバイス１４６からクラスタ情報１４０を受信し得る。クラスタ情報１４０は、１つまたは複数のクラスタメッセージとして受信され得る。いくつかの構成では、複数のクラスタメッセージは、１つのメッセージから復号および／またはデマッピングされ得る。クラスタ情報１４０は、（たとえば、情報１３６の一部として）協働ブロック／モジュール１３８に与えられ得る。協働ブロック／モジュール１３８は、他の基地局１１８と協働するためにクラスタ情報１４０を使用し得る。言い換えれば、１つまたは複数の基地局１１８のセル／セクタは、クラスタ情報１４０に基づいてクラスタリングされ得る。
【００２６】
クラスタリングされたセクタ／セルを与える基地局１１８は、協働的に動作し得る。たとえば、クラスタリングされたセル／セクタをもつ基地局１１８は、（ワイヤレス通信デバイス１０２が、クラスタリングされたセル／セクタをもつ２つ以上の基地局１１８と通信することができると仮定すると）ワイヤレス通信デバイス１０２と通信するために協働的に動作し得る。たとえば、協働ブロック／モジュール１３８は、他の基地局１１８との（たとえば、基地局１１８とワイヤレス通信デバイス１０２との間の）通信を協調させるためにクラスタ情報１４０を使用し得る。より詳細には、協働ブロック／モジュール１３８は、他の基地局１１８との通信を協調させるために使用される情報または命令（たとえば、「協調情報」）を生成し得る。協働ブロック／モジュール１３８は、１つまたは複数の他の基地局１１８への送信のために、この協調情報を（情報１３６の一部として）通信ブロック／モジュール１２０に与え得る。たとえば、この協調情報は、Ｘ２インターフェースおよび／またはオーバージエア（ＯＴＡ）シグナリングを使用して１つまたは複数の他の基地局１１８にシグナリングされ得る。基地局１１８は、追加または代替として、１つまたは複数の他の基地局１１８から協調情報を受信し得る。この受信した協調情報は、ワイヤレス通信デバイス１０２との通信を、１つまたは複数の他の基地局１１８と協調させるために使用され得る。たとえば、この受信した協調情報は、この目的のために（たとえば、情報１３６の一部として）協働ブロック／モジュール１３８に与えられ得る。
【００２７】
図２は、ネイバーリレーションを使用してセルをクラスタリングするためのシステムおよび方法が実装され得る、電子デバイス２４６と基地局２１８ａ〜ｃとの一例を示すブロック図である。この例では、上部クラスタ２５８が示されている。上部クラスタ２５８は、セル／セクタクラスタリングが使用され得る基地局２１８ａ〜ｃのネットワークまたはグループであり得る。いくつかの構成では、上部クラスタ２５８は、静的であり、および／または手動で構成され得る。
【００２８】
この例では、電子デバイス２４６、３つの基地局２１８ａ〜ｃ、および３つのワイヤレス通信デバイス２０２ａ〜ｃが示されている。基地局２１８ａ〜ｃの各々は電子デバイス２４６と通信する。より詳細には、電子デバイス２４６に対して、基地局Ａ２１８ａは情報２６０ａを送り、基地局Ｂ２１８ｂは情報２６０ｂを送り、基地局Ｃ２１８ｃは情報２６０ｃを送る。さらに、電子デバイス２４６は、基地局Ａ２１８ａに情報２６２ａを送り、基地局Ｂ２１８ｂに情報２６２ｂを送り、基地局Ｃ２１８ｃに情報２６２ｃを送る。電子デバイス２４６と基地局２１８ａ〜ｃとの間で通信される情報は、ワイヤードおよび／またはワイヤレスリンクを使用して（たとえば、Ｓ１インターフェース、「中央ユニットインターフェース」および／またはオーバージエア（ＯＴＡ）リンクを使用して）通信され得る。
【００２９】
図示のように、基地局Ａ２１８ａはワイヤレス通信デバイスＡ〜Ｂ  ２０２ａ〜ｂと通信し、基地局Ｂ２１８ｂはワイヤレス通信デバイスＡ〜Ｃ  ２０２ａ〜ｃと通信し、基地局Ｃ２１８ｃはワイヤレス通信デバイスＢ〜Ｃ  ２０２ｂ〜ｃと通信する。より詳細には、基地局Ａ２１８ａは、情報２１６ａをワイヤレス通信デバイスＡ２０２ａと通信し、情報２１６ｃをワイヤレス通信デバイスＢ２０２ｂと通信する。基地局Ｃ２１８ｃは、情報２１６ｅをワイヤレス通信デバイスＢ２０２ｂと通信し、情報２１６ｇをワイヤレス通信デバイスＣ２０２ｃと通信する。基地局Ｂ２１８ｂは、情報２１６ｂをワイヤレス通信デバイスＡ２０２ａと通信し、情報２１６ｄをワイヤレス通信デバイスＢ２０２ｂと通信し、情報２１６ｆをワイヤレス通信デバイスＣ２０２ｃと通信する。
【００３０】
基地局２１８ａ〜ｃとワイヤレス通信デバイス２０２ａ〜ｃとの間で通信される情報２１６ａ〜ｇは、信号および／またはデータを含み得る。この情報２１６ａ〜ｇはワイヤレス通信され得る。たとえば、ワイヤレス通信デバイス２０２ａ〜ｃと基地局２１８ａ〜ｃとは、アンテナを使用して電磁信号を送信および／または受信することによって、互いに通信し得る。
【００３１】
基地局２１８ａ〜ｃは互いに通信し得る。より詳細には、基地局Ａ２１８ａは、情報２６４ａを基地局Ｂ２１８ｂと通信し、情報２６４ｃを基地局Ｃ２１８ｃと通信し得る。さらに、基地局Ｂ２１８ｂは、情報２６４ｂを基地局Ｃ２１８ｃと通信し得る。この情報２６４ａ〜ｃは、ワイヤードおよび／またはワイヤレスリンクを使用して（たとえば、Ｘ２インターフェースおよび／またはオーバージエア（ＯＴＡ）リンクを使用して）通信され得る。
【００３２】
一例では、基地局Ａ２１８ａがワイヤレス通信デバイスＢ２０２ｂにサービングセル／セクタを与えていると仮定する。言い換えれば、基地局Ａ２１８ａは、ワイヤレス通信デバイスＢ２０２ｂに通信リソースを与えている。ワイヤレス通信デバイスＢ２０２ｂは、基地局Ｃ２１８ｃからセル／セクタ情報２１６ｅを受信し、基地局Ｂ２１８ｂからセル／セクタ情報２１６ｄを受信し、および／または基地局Ａ２１８ａからセル／セクタ情報２１６ｃを受信する。基地局Ａ２１８ａから受信したセル／セクタ情報２１６ｃは、基地局Ａ２１８ａによって与えられた１つまたは複数のセル／セクタを識別し得ることに留意されたい。一構成では、ワイヤレス通信デバイスＢ２０２ｂは、基地局Ａ〜Ｃ  ２１８ａ〜ｃの各々から、１つまたは複数のセル／セクタについてのターゲットセル識別子（ＴＣＩ）を受信し得る。
【００３３】
いくつかの構成では、ワイヤレス通信デバイスＢ２０２ｂは、基地局Ａ〜Ｃ  ２１８ａ〜ｃから他の情報２１６ｃ〜ｅを測定、受信および／または取得し得る。たとえば、ワイヤレス通信デバイスＢ２０２ｂは、チャネル状態に関する情報２１６ｃ〜ｅ（たとえば、チャネル品質インジケータ（ＣＱＩ）、基準信号受信電力（ＲＳＲＰ）など）を測定および／または受信し得る。追加または代替として、ワイヤレス通信デバイスＢ２０２ｂは、ワイヤレス通信デバイスＢ２０２ｂ（たとえば、ＵＥ  ＩＤ）を識別する情報（たとえば、識別子）など、他の情報を有し得る。
【００３４】
ワイヤレス通信デバイスＢ２０２ｂは、基地局Ａ２１８ａにセル／セクタ情報２１６ｃを送信し得る。追加または代替として、ワイヤレス通信デバイスＢ２０２ｂは、基地局Ａ２１８ａに、チャネル状態（たとえば、ＣＱＩ、ＲＳＲＰ）および／または識別子（たとえば、ＵＥ  ＩＤ）を示す情報２１６ｃなど、他の情報２１６ｃを送信し得る。ワイヤレス通信デバイスＢ２０２ｂは、場合によっては、いくつかの規格またはしきい値を満たさないセル／セクタに関する情報をドロップし得、および／または送信しないことがある。たとえば、基地局Ｃ２１８ｃから受信した信号電力が最小しきい値を満たすのに十分強くない場合、ワイヤレス通信デバイスＢ２０２ｂは基地局Ｃ２１８ｃに対応する情報（たとえば、セル／セクタ情報および／または他の情報）２１６ｅを廃棄し得る。
【００３５】
基地局Ａ２１８ａは、ワイヤレス通信デバイスＢ２０２ｂからセル／セクタ情報２１６ｃおよび／または他の情報２１６ｃを受信し得る。たとえば、基地局Ａ２１８ａは、セル／セクタ情報２１６ｃをネイバーリレーションテーブル１３０に記憶し得る。したがって、ネイバーリレーションテーブル１３０は、ワイヤレス通信デバイスＢ２０２ｂが検出することが可能であるセル／セクタを示すセル／セクタ情報１３２を含み得る。同様にして、基地局Ａ２１８ａ上の同じまたは別のネイバーリレーションテーブル１３０は、ワイヤレス通信デバイスＡ２０２ａから受信した（たとえば、基地局Ａ２１８ａおよび／または基地局Ｂ２１８ｂからの、ワイヤレス通信デバイスＡ２０２ａによって検出可能なセル／セクタに関する）セル／セクタ情報１３２を含み得る。
【００３６】
いくつかの構成では、基地局Ａ２１８ａ上の１つまたは複数のネイバーリレーションテーブル１３０は、ワイヤレス通信デバイスＢ２０２ｂおよび／またはワイヤレス通信デバイスＡ２０２ａから受信した他の情報２１６ｃ、２１６ａに基づく拡張情報１３４を含み得る。たとえば、拡張情報１３４は、信号強度（たとえば、ＲＳＲＰ）、チャネル品質（たとえば、ＣＱＩ）などの通信状態に関する情報を含み得る。さらに、拡張情報１３４は、ワイヤレス通信デバイスＢ２０２ｂおよび／またはワイヤレス通信デバイスＡ２０２ａについての識別子（たとえば、ＵＥ  ＩＤ）を含み得る。拡張情報１３４は、追加または代替として、基地局Ａ２１８ａによって受信された他の情報２１６ｃ、２１６ａに基づくセル／セクタランキングを含み得る。
【００３７】
基地局Ａ２１８ａは、電子デバイス２４６に１つまたは複数のネイバーリレーションメッセージ２６０ａを送信し得る。（１つまたは複数の）ネイバーリレーションメッセージ２６０ａは、ネイバーリレーションテーブル１３０に基づく情報であり得る。たとえば、ネイバーリレーションメッセージ２６０ａは、ネイバーリレーションテーブル１３０全体、ネイバーリレーションテーブル１３０の一部、またはネイバーリレーションテーブル１３０に基づく他の情報を含み得る。たとえば、ネイバーリレーションメッセージ２６０ａは、（たとえば、セル／セクタ情報１３２からの）セル／セクタ識別子のリストのみを含み得る。別の例では、ネイバーリレーションメッセージ２６０ａは、セル／セクタ識別子のリストの一部を含み得る。
【００３８】
いくつかの構成では、１つまたは複数のネイバーリレーションメッセージ２６０ａは、拡張情報１３４、および／または拡張情報１３４に基づく情報を含み得る。たとえば、ネイバーリレーションメッセージ２６０ａは、ランキング、チャネル状態情報、ワイヤレス通信デバイスＡ〜Ｂ  ２０２ａ〜ｂ識別子などを含み得る。
【００３９】
電子デバイス２４６は、１つまたは複数のネイバーリレーションメッセージ２６０ａを受信し得る。電子デバイス２４６は、クラスタ情報１５６を判断するために、基地局Ａ２１８ａによって与えられる１つまたは複数のネイバーリレーションメッセージ２６０ａを使用し、追加または代替として、基地局Ｂ〜Ｃ  ２１８ｂ〜ｃによって与えられる１つまたは複数のネイバーリレーションメッセージ２６０ｂ〜ｃを使用し得る。クラスタ情報１５６は、どのセル／セクタがクラスタリングされるべきか（したがって、どの基地局２１８ａ〜ｃが、ワイヤレス通信デバイス２０２と通信する際に協働すべきか）を示すか、または命令し得る。電子デバイス２４６は、基地局Ａ〜Ｃ  ２１８ａ〜ｃのうちの１つまたは複数にクラスタ情報２６２を送信し得る。たとえば、電子デバイス２４６が、基地局Ａ２１８ａによって与えられるセル／セクタが、基地局Ｂ２１８ｂによって与えられるセル／セクタとともにクラスタリングされるべきであることを示すクラスタ情報２６２ａを生成し、基地局Ａ２１８ａに送信すると仮定する。この場合、基地局Ａ２１８ａは、ワイヤレス通信デバイスＢ２０２ｂとの通信を協調させるために、情報２６４ａを基地局Ｂ２１８ｂと通信し得る。たとえば、基地局Ａ２１８ａと基地局Ｂ２１８ｂとの間で通信される情報２６４ａは、スケジューリング情報を含み得る。一構成では、基地局Ａ２１８ａは、Ｘ２インターフェースを使用して情報２６４ａを基地局Ｂ２１８ｂと通信し得る。
【００４０】
図３は、ネイバーリレーションを使用してセルをクラスタリングするための方法３００の一構成を示す流れ図である。３０２において、基地局１１８は、１つまたは複数のワイヤレス通信デバイス１０２からセル（たとえば、セル／セクタ）情報１０８を受信する。たとえば、セル情報１０８は、ワイヤレス通信デバイス１０２が検出することが可能である１つまたは複数のセル／セクタを示し得る。いくつかの構成では、基地局１１８が、最初に、セル情報１０８（たとえば、ＴＣＩ）を要求する命令を１つまたは複数のワイヤレス通信デバイス１０２に送り得ることに留意されたい。
【００４１】
３０４において、基地局１１８は、セル情報１３２に基づいてネイバーリレーションテーブル１３０を生成する。一構成では、ネイバーリレーションテーブル１３０は、セル／セクタ識別子（たとえば、ＴＣＩ）などの情報、および／またはそれらのセル／セクタに関連する情報を含む。ネイバーリレーションテーブル１３０は、１つまたは複数のワイヤレス通信デバイス１０２から受信した情報、および／または基地局１１８が（受信した情報に基づいて）生成した情報を含み得ることに留意されたい。
【００４２】
３０６において、基地局１１８は、ネイバーリレーションテーブル１３０に基づくネイバーリレーションメッセージを電子デバイス１４６に送信する。たとえば、ネイバーリレーションメッセージは、ネイバーリレーションテーブル１３０全体、ネイバーリレーションテーブル１３０の一部、および／またはネイバーリレーションテーブル１３０に基づく何らかの他の情報を含み得る。たとえば、ネイバーリレーションメッセージは、セル／セクタ識別子（たとえば、ＴＣＩ）のリストを含み得る。
【００４３】
３０８において、基地局１１８は、電子デバイス１４６からクラスタ情報１４０を受信する。クラスタ情報１４０は、どのセル／セクタがクラスタリングされるべきかを示し得る。たとえば、クラスタ情報１４０は、１つまたは複数のワイヤレス通信デバイス１０２と通信するために、どの基地局１１８が互いに協調すべきかを示し得る。したがって、基地局１１８は、１つまたは複数のワイヤレス通信デバイス１０２との通信を協調させるために、別の基地局１１８と通信し得る。一構成では、基地局１１８とワイヤレス通信デバイス１０２との間の通信を協調させることは、多地点協働（ＣｏＭＰ：Cooperative Multipoint）通信と呼ばれることがある。
【００４４】
３１０において、基地局１１８は、クラスタ情報１４０に基づいて１つまたは複数のワイヤレス通信デバイス１０２と通信する。たとえば、基地局１１８は、クラスタ情報１４０に基づいてワイヤレス通信デバイス１０２との間で情報を送信し、および／または情報を受信し得る。たとえば、ワイヤレス通信デバイス１０２が、２つの基地局１１８と通信することができ、基地局１１８が、クラスタリングされたセル／セクタを与える場合、３１０において、一方の基地局１１８が（クラスタリングされたセル／セクタをもつ）他方の基地局１１８と協調するように、一方の基地局１１８はワイヤレス通信デバイス１０２と通信し得る。３１０において、基地局１１８が、セル／セクタ情報１０８および／または他の情報１１０を与えなかった１つまたは複数のワイヤレス通信デバイス１０２と通信し得ることに留意されたい。
【００４５】
図４は、ネイバーリレーションを使用してセルをクラスタリングするための方法４００の別の構成を示す流れ図である。４０２において、基地局１１８は、１つまたは複数のワイヤレス通信デバイス１０２からセル（たとえば、セル／セクタ）情報１０８を受信する。たとえば、セル情報１０８は、ワイヤレス通信デバイス１０２が検出することが可能である１つまたは複数のセル／セクタ（たとえば、ＴＣＩ）を示し得る。いくつかの構成では、基地局１１８が、最初に、セル情報１０８（たとえば、ＴＣＩ）を要求する命令を１つまたは複数のワイヤレス通信デバイス１０２に送り得ることに留意されたい。
【００４６】
４０４において、基地局１１８は他の情報１１０を受信する。たとえば、４０４において、基地局１１８は、１つまたは複数のワイヤレス通信デバイス１０２から他の情報１１０を受信し得る。一構成では、他の情報１１０は、通信状態に関する情報、ワイヤレス通信デバイス１０２識別子および／または他の情報を含み得る。たとえば、他の情報１１０は、基準信号受信電力（ＲＳＲＰ）、（１つまたは複数の）チャネル品質インジケータ（ＣＱＩ）、ユーザ機器識別子（ＵＥ  ＩＤ）および／または他の情報を含み得る。
【００４７】
４０６において、基地局１１８は、セル情報１３２に基づいてネイバーリレーションテーブル１３０を生成する。一構成では、ネイバーリレーションテーブル１３０は、セル／セクタ識別子（たとえば、ＴＣＩ）などの情報と、それらのセル／セクタに関連する情報とを含む。ネイバーリレーションテーブル１３０は、１つまたは複数のワイヤレス通信デバイス１０２から受信した情報、および／または基地局１１８が（たとえば、受信した情報に基づいて）生成した情報を含み得ることに留意されたい。
【００４８】
４０８において、基地局１１８は、他の情報１１０に基づいてネイバーリレーションテーブル１３０中に拡張情報１３４を生成する。一構成では、基地局１１８は、１つまたは複数のワイヤレス通信デバイス１０２識別子、チャネル状態に関する情報などの受信した情報をネイバーリレーションテーブル１３０に追加する。たとえば、基地局１１８は、１つまたは複数のユーザ機器識別子（ＵＥ  ＩＤ）、チャネル品質インジケータ（ＣＱＩ）および／または基準信号受信電力（ＲＳＲＰ）測定値などを追加し得る。基地局１１８は、追加または代替として、ネイバーリレーションテーブル１３０中に示されるセル／セクタについてのランキングを生成し得る。たとえば、基地局１１８は、チャネル状態情報に基づいてネイバーリレーションテーブル１３０中でセル／セクタをランク付けし得る。一構成では、ランキングを生成することは、特定の位置（たとえば、テーブルの上部）により高くランク付けされたセル／セクタをもつネイバーリレーションテーブル１３０をソートすることを伴い得る。別の構成では、基地局１１８は、ネイバーリレーションテーブル１３０中に含められ得る数値ランキングを生成し得る。
【００４９】
４１０において、基地局１１８は、ネイバーリレーションテーブル１３０に基づくネイバーリレーションメッセージを電子デバイス１４６に送信する。たとえば、自動ネイバーリレーションメッセージは、ネイバーリレーションテーブル１３０全体、ネイバーリレーションテーブル１３０の一部、および／またはネイバーリレーションテーブル１３０に基づく何らかの他の情報を含み得る。たとえば、ネイバーリレーションメッセージは、セル／セクタ識別子（たとえば、ＴＣＩ）のリストを含み得る。ランキングは、たとえば、セル／セクタのリストはネイバーリレーションテーブル１３０中に配置され、および／またはネイバーリレーションメッセージ中に配置される順序によって暗黙的に示され得ることに留意されたい。いくつかの構成では、基地局１１８からのセルに対応するネイバーリレーションメッセージの各々は、中央ユニット１４６への送信のためのメッセージに符号化および／またはマッピングされ得る。
【００５０】
４１２において、基地局１１８は、電子デバイス１４６からクラスタ情報１４０を受信する。クラスタ情報１４０は、どのセル／セクタがクラスタリングされるべきかを示し得る。たとえば、クラスタ情報１４０は、１つまたは複数のワイヤレス通信デバイス１０２と通信するために、どの基地局１１８が互いに協調すべきかを示し得る。したがって、基地局１１８は、１つまたは複数のワイヤレス通信デバイス１０２との通信を協調させるために、別の基地局１１８と通信し得る。一構成では、基地局１１８とワイヤレス通信デバイス１０２との間の通信を協調させることは、多地点協働（ＣｏＭＰ）通信と呼ばれることがある。
【００５１】
４１４において、基地局１１８は、クラスタ情報１４０に基づいて１つまたは複数のワイヤレス通信デバイス１０２と通信する。たとえば、基地局１１８は、クラスタ情報１４０に基づいてワイヤレス通信デバイス１０２との間で情報を送信し、および／または情報を受信し得る。たとえば、ワイヤレス通信デバイス１０２が、２つの基地局１１８と通信することができ、基地局１１８が、クラスタリングされたセル／セクタを与える場合、一方の基地局１１８が（クラスタリングされたセル／セクタをもつ）他方の基地局１１８と協調するように、一方の基地局１１８はワイヤレス通信デバイス１０２と通信し得る。
【００５２】
図５は、ネイバーリレーションを使用してセルをクラスタリングするための方法５００の別の構成を示す流れ図である。５０２において、電子デバイス１４６は、１つまたは複数の基地局１１８から１つまたは複数のネイバーリレーションメッセージを受信する。いくつかの構成では、５０２において、電子デバイス１４６は、Ｓ１インターフェース、「中央ユニット」インターフェースおよび／またはオーバージエア（ＯＴＡ）シグナリングを使用して１つまたは複数のネイバーリレーションメッセージを受信する。たとえば、５０２において、通信ブロック／モジュール１４８は１つまたは複数のネイバーリレーションメッセージを受信し得、１つまたは複数のネイバーリレーションメッセージはクラスタ判断ブロック／モジュール１５２に与えられ得る。
【００５３】
５０４において、電子デバイス１４６は、１つまたは複数のネイバーリレーションメッセージに基づいてクラスタ情報１５６を生成する。ネイバーリレーションメッセージが、セル情報１３２および／または拡張情報１３４に基づき得ることに留意されたい。たとえば、ネイバーリレーションメッセージは、セル／セクタ識別子、ワイヤレス通信デバイス１０２識別子、チャネル状態情報、ランキングおよび／または他の情報などの情報を含み得る。一構成では、５０４において、電子デバイス１４６は、セル／セクタ識別子（たとえば、ＴＣＩ）のみに基づいてクラスタ情報１５６を生成し得る。他の構成では、電子デバイス１４６は、５０４においてクラスタ情報１５６を生成するために追加または代替の情報を使用し得る。たとえば、電子デバイス１４６は、セル／セクタ識別子、ワイヤレス通信デバイス１０２識別子（たとえば、ＵＥ  ＩＤ）、チャネル状態情報（たとえば、ＲＳＲＰおよび／またはＣＱＩなど）、ランキングおよび／または他の情報を使用し得る。クラスタ情報１５６は、どのセル／セクタがクラスタリングされるべきか（たとえば、どの基地局１１８が、１つまたは複数のワイヤレス通信デバイス１０２と通信する際に協働すべきか）を示し得る。
【００５４】
５０６において、電子デバイス１４６は、クラスタ情報１５６を１つまたは複数の基地局１１８に送信する。たとえば、電子デバイス１４６は、クラスタ情報１５６を含むクラスタメッセージを１つまたは複数の基地局１１８に送信し得る。いくつかの構成では、送信されるクラスタ情報１５６は基地局１１８ごとに異なり得る。たとえば、電子デバイス１４６は、特定の基地局１１８に有用なクラスタ情報１５６のみを送信し得る。より詳細には、電子デバイス１４６は、基地局１１８が制御するかまたは与えるそれらのセル／セクタに関係するクラスタリングに関するクラスタ情報１５６のみを基地局１１８に送信し得る。他の構成では、電子デバイス１４６は、基地局１１８のすべてに同じクラスタ情報１５６を（広域的に）送信し得る。
【００５５】
図６は、ネイバーリレーションを使用してセルをクラスタリングするためのシステムおよび方法が実装され得る、１つの発展型ノードＢ（ｅＮＢ）６１８と１つの中央ユニット６４６との一構成を示すブロック図である。特に、図６に、１つまたは複数のユーザ機器（ＵＥ）（たとえば、ワイヤレス通信デバイス、移動局、端末など）６０２と、１つまたは複数のｅＮＢ（たとえば、基地局、アクセスポイント、ノードＢなど）６１８と、中央ユニット６４６とを示す。上記のように、ＵＥ、ノードＢおよびｅＮＢなどの用語は、３ＧＰＰ仕様において使用される用語であり得るが、これらの用語で開示されるシステムおよび方法は、結果として範囲が限定されるべきでない。より詳細には、「ユーザ機器」またはＵＥという用語は「ワイヤレス通信デバイス」を指すことがある。「ノードＢ」、「発展型ノードＢ」または「ｅＮＢ」という用語は「基地局」を指すことがある。また、基地局の例は、ノードＢ、ホームノードＢ（ＨＮＢ）、発展型ノードＢ（ｅＮＢ）、ホーム発展型ノードＢ（ＨｅＮＢ）、アクセスポイント、基地局などを含むことに留意されたい。１つまたは複数のＵＥ６０２は、１つまたは複数のｅＮＢ６１８と通信し得る。たとえば、１つまたは複数のＵＥ６０２はそれぞれ、１つまたは複数のｅＮＢ６１８との間で情報６７２を受信し、および／または情報６７４を送信するために、受信機６０４と、送信機６１２と、１つまたは複数のアンテナ６１４とを含む。
【００５６】
各ＵＥ６０２は測定ブロック／モジュール６０６を含み得る。本明細書で使用する「ブロック／モジュール」という句は、特定の構成要素がハードウェア、ソフトウェアまたは両方の組合せで実装され得ることを示す。たとえば、測定ブロック／モジュール６０６は、回路などのハードウェア構成要素、および／あるいは命令またはコードなどのソフトウェア構成要素などを用いて実装され得る。
【００５７】
測定ブロック／モジュール６０６は、１つまたは複数のターゲットセル識別子（ＴＣＩ）６０８を測定する（たとえば、１つまたは複数のターゲットセル識別子６０８の受信、キャプチャ、検出などを行う）ために使用され得る。たとえば、各ｅＮＢ６１８は、１つまたは複数のセルまたはセクタに位置する１つまたは複数のＵＥ６０２と通信し得る。より詳細には、ＵＥ６０２は、受信機６０４を使用して、１つまたは複数のセルまたはセクタについてのＴＣＩ６０８を取得するために使用され得る信号６７２を受信し得る。ＴＣＩ６０８は、ＵＥ６０２が検出し得る各セルおよび／またはセクタについての識別子であり得る。いくつかの構成では、ｅＮＢ６１８は、ＵＥ６０２がＴＣＩ６０８を取得することを要求し得る。たとえば、ｅＮＢ６１８は、ＴＣＩ６０８を取得（および報告）するようにＵＥ６０２に命令するメッセージをそのＵＥ６０２に送り得る。
【００５８】
いくつかの構成では、測定ブロック／モジュール６０６は、他の情報６１０を測定し（たとえば、受信、キャプチャ、検出などを行い）、および／または他の情報６１０を有し得る。他の情報６１０は、１つまたは複数のｅＮＢ６１８との通信状態に関する情報、および／または他の情報６１０を含み得る。たとえば、他の情報６１０は、信号強度測定値、チャネル品質測定値、チャネルローディング、間違って受信したデータの量（たとえば、ドロップしたパケットの数、再送信要求の数など）、データレート、変調タイプ、ＵＥ６０２識別子などを含み得る。たとえば、他の情報６１０は、ユーザ機器識別子（ＵＥ  ＩＤ）６６６、基準信号受信電力（ＲＳＲＰ）測定値６６８、チャネル品質インジケータ（ＣＱＩ）６７０および他の情報のうちの１つまたは複数を含み得る。他の情報６１０は、ＵＥ６０２が検出することが可能であるセルまたはセクタのうちの１つまたは複数について（たとえば、受信機６０４を使用して）取得され得る。
【００５９】
１つまたは複数のｅＮＢ６１８は、受信機６２２と１つまたは複数のアンテナ６４２ａ〜ｎとを使用して１つまたは複数のＵＥ６０２から情報６７４を受信し得る。さらに、１つまたは複数のｅＮＢ６１８は、送信機６２４と１つまたは複数のアンテナ６４２ａ〜ｎとを使用して１つまたは複数のＵＥ６０２に情報６７２を送信し得る。たとえば、１つまたは複数のｅＮＢ６１８は、１つまたは複数のＵＥ６０２との間で電磁信号を送信し、電磁信号を受信する。ｅＮＢ６１８の各々は、セルまたはセクタカバレージエリア内にある１つまたは複数のＵＥ６０２と通信し得ることに留意されたい。たとえば、セルまたはセクタは、ｅＮＢ６１８によってサービスされる地理的エリアである。単一のｅＮＢ６１８は、通信のために１つまたは複数のセルまたはセクタを与え得る。たとえば、ｅＮＢ６１８は、ＵＥ６０２との通信のために３つのセクタを与え得る。本明細書で使用する「セル」という用語は、セルおよび／またはセクタを指すために使用され得る。
【００６０】
各ｅＮＢ６１８は、通信ブロック／モジュール６２０、自動ネイバーリレーションブロック／モジュール６２８および／または協働ブロック／モジュール６３８を含み得る。各ｅＮＢ６１８は、１つまたは複数のＵＥ６０２、他のｅＮＢ６１８および／または中央ユニット６４６など、他のデバイスと通信するために通信ブロック／モジュール６２０を使用し得る。通信ブロック／モジュール６２０は、受信機６２２、送信機６２４、Ｘ２インターフェース６８８、Ｓ１インターフェース６９０、オーバージエア（ＯＴＡ）シグナリングブロック／モジュール６９２および／または（便宜上、図６に「ＣＵインターフェース」として示される）中央ユニットインターフェース６０９を含み得る。
【００６１】
受信機６２２および／または送信機６２４は、（たとえば、１つまたは複数のアンテナ６４２ａ〜ｎを使用して）電磁信号を受信および／または送信するために使用され得る。たとえば、ｅＮＢ６１８は、ワイヤレス（たとえば、「オーバージエア」（ＯＴＡ））シグナリング６９２を使用して、１つまたは複数のＵＥ６０２、他のｅＮＢ６１８および／または中央ユニット６４６とワイヤレス通信し得る。
【００６２】
いくつかの構成では、通信ブロック／モジュール６２０は、ワイヤード接続を使用して他のデバイスと通信するために使用され得る。たとえば、通信ブロック／モジュール６２０は、他のｅＮＢ６１８および／または中央ユニット６４６と通信するために使用されるブロック／モジュールを含み得る。一構成では、Ｘ２インターフェース６８８は、他のｅＮＢ６１８と通信するために使用され、ならびに／あるいはＳ１インターフェース６９０および／または中央ユニットインターフェース６０９は、中央ユニット６４６と通信するために使用される。
【００６３】
通信ブロック／モジュール６２０は、他のブロック／モジュールとの間で情報を与え、および／または情報を取得し得る。たとえば、通信ブロック／モジュール６２０は、受信したＴＣＩ６０８および／または他の情報６１０などの情報６８４を自動ネイバーリレーションブロック／モジュール６２８に与え得る。追加または代替として、通信ブロック／モジュール６２０は、中央ユニット６４６への送信のために、ネイバーリレーションブロック／モジュール６２８からネイバーリレーションテーブル６３０（たとえば、ネイバーリレーションテーブル６３０全体、ネイバーリレーションテーブル６３０の部分など）に基づく情報６８６を受信または取得し得る。ネイバーリレーションテーブル６３０に基づいて送信される情報は、１つまたは複数の「ネイバーリレーションテーブルメッセージ」（たとえば、ＮＲＴメッセージ）と呼ばれることがある。通信ブロック／モジュール６２０はまた、協働ブロック／モジュール６３８に情報６９４（たとえば、１つまたは複数のクラスタ識別子６４０）を与えることができる。追加または代替として、通信ブロック／モジュール６２０は、１つまたは複数の他のデバイス（たとえば、他のｅＮＢ６１８）への送信のために、協働ブロック／モジュール６３８から情報６９６を受信または取得し得る。
【００６４】
自動ネイバーリレーションブロック／モジュール６２８は、近隣セルまたはセクタに関する情報を管理するために使用され得る。たとえば、ネイバーリレーションブロック／モジュール６２８は、１つまたは複数のＵＥ６０２によって検出可能であるセルまたはセクタに関する情報を管理し得る。一構成では、ＵＥ６０２のうちの１つまたは複数は、ＴＣＩ６０８を（たとえば、情報６７４の一部として）ｅＮＢ６１８に送り得る。ｅＮＢ６１８はＴＣＩ６０８を受信し、そのＴＣＩ６０８をＴＣＩ６３２として１つまたは複数のネイバーリレーションテーブル（ＮＲＴ）６３０に記憶し得る。
【００６５】
１つまたは複数のネイバーリレーションテーブル（ＮＲＴ）６３０は、自動ネイバーリレーションブロック／モジュール６２８中に含まれ得、および／またはそれによって管理され得る。ネイバーリレーションテーブル（ＮＲＴ）６３０中に含まれるＴＣＩ６３２は、ＵＥ６０２によって送られるＴＣＩ６０８と同じフォーマットであることも、同じフォーマットでないこともあることに留意されたい。より詳細には、ｅＮＢ６１８は、ネイバーリレーションテーブル６３０中にＴＣＩ６３２を生成するために、受信したＴＣＩ６０８のフォーマットに他の情報を追加し、および／またはそのフォーマットを変更し得る。たとえば、ＴＣＩ６３２は、１つまたは複数のＵＥ６０２によって検出されたセル／セクタについてのターゲットセル識別子（ＴＣＩ）に対応する「ネイバーリレーション」（ＮＲ）、すなわち「削除なし（No Remove）」インジケータ、「ＨＯなし」（たとえば、ハンドオーバなし）インジケータ、および／または「Ｘ２なし」インジケータのために使用され得る。たとえば、「削除なし」インジケータは、ネイバーリレーション（ＮＲ）がネイバーリレーションテーブル（ＮＲＴ）６３０から削除され得るかどうかを示し、「ＨＯなし」インジケータは、ネイバーリレーションがハンドオーバの理由のために使用され得るかどうかを示し、「Ｘ２なし」インジケータは、ターゲットセルの親になるｅＮＢ６１８に向かってプロシージャを開始するために、Ｘ２インターフェース６８８が使用され得るかどうかを示す。表（１）に、ネイバーリレーションテーブル（ＮＲＴ）６３０の一例を示す。
【表１】
2013530637.tif 000003
【００６６】
表（１）において、「ＮＲ」列はネイバーリレーションインデックスを含み、「ＴＣＩ」列はターゲットセル識別子（ＴＣＩ）６３２を含み、「削除なし」列は、対応するネイバーリレーション（ＮＲ）がネイバーリレーションテーブル（ＮＲＴ）６３０から削除されることを許されるかどうかを示し、「ＨＯなし」列は、ネイバーリレーション（ＮＲ）がハンドオーバ目的のために使用され得るかどうかを示し、「Ｘ２なし」列は、ターゲットセルの親になるｅＮＢ６１８に向かってプロシージャを開始するために、Ｘ２インターフェース６８８が使用され得るかどうかを示す。表（１）に示すものよりも少ない、または多い行が、ネイバーリレーションテーブル（ＮＲＴ）６３０において使用され得ることに留意されたい。「削除なし」、「ＨＯなし」および／または「Ｘ２なし」が、オペレーションおよびメンテナンス（ＯＡＭまたはＯ＆Ｍ）機能を使用して判断または構成され得ることに留意されたい。オペレーションおよびメンテナンス機能は、ｅＮＢ６１８、中央ユニット６４６、サービングゲートウェイ(serving gateway)および／またはそれらの組合せから別々に与えられ得る。オペレーションおよびメンテナンス機能はローカルにおよび／またはリモートで与えられ得る。
【００６７】
いくつかの構成では、（１つまたは複数の）ネイバーリレーションテーブル（ＮＲＴ）６３０は拡張情報６３４をも含み得る。拡張情報６３４は、１つまたは複数のＵＥ６０２から受信した他の情報６１０に基づき得る。たとえば、拡張情報６３４は、通信状態に関する情報および／または他の情報を含み得る。一構成では、拡張情報６３４は、ランクまたはランキング６８２、チャネル品質インジケータ（ＣＱＩ）６８０、基準信号受信電力（ＲＳＲＰ）測定値６７８、および／または対応するユーザ機器識別子（ＵＥ  ＩＤ）６７６を含み得る。（１つまたは複数の）ネイバーリレーションテーブル６３０はさらに、いくつかの構成では、拡張情報６３４と併せて、ＴＣＩ６３２に基づく情報を含み、および／またはＴＣＩ６３２に基づいて構造化され得る。たとえば、ｅＮＢ６１８（たとえば、自動ネイバーリレーションブロック／モジュール６２８）は、拡張情報６３４に基づいてＴＣＩ６３２のためのランクまたはランキング６８２（および／または拡張情報６３４）を生成し得る。たとえば、拡張情報６３４中に含まれる対応するチャネル状態／測定値（たとえば、ＣＱＩ６８０および／またはＲＳＲＰ６７８）に基づいて、（ＴＣＩ６３２によって示される）セル／セクタがランク付けされ得る。（ｅＮＢ６１８上に常駐する）拡張情報６３４をもつネイバーリレーションテーブル（ＮＲＴ）６３０の一例を表（２）に示す。
【表２】
2013530637.tif 000004
【００６８】
表（２）において、「ＮＲ」列はネイバーリレーションインデックスを含み、「ＴＣＩ」列はターゲットセル識別子（ＴＣＩ）６３２を含み、「削除なし」列は、対応するネイバーリレーション（ＮＲ）がネイバーリレーションテーブル（ＮＲＴ）６３０から削除されることを許されるかどうかを示し、「ＨＯなし」列は、ネイバーリレーション（ＮＲ）がハンドオーバ目的のために使用され得るかどうかを示し、「Ｘ２なし」列は、ターゲットセルの親になるｅＮＢ６１８に向かってプロシージャを開始するために、Ｘ２インターフェース６８８が使用され得るかどうかを示す。さらに、ＵＥ  ＩＤ／ＣＱＩ列は、どのＵＥ６０２が、対応するチャネル品質インジケータ（ＣＱＩ）６８０測定を行っているかを示す。また、表（２）に示すＮＲＴ６３０では、ＴＣＩ６３２がランク付けされ、より高くランク付けされたＴＣＩ６３２は、より低いネイバーリレーション（ＮＲ）インデックスに配置されている。たとえば、ＮＲインデックス１における第１のＴＣＩ６３２（たとえば、ＴＣＩ
＃1）は、対応するＣＱＩ６８０測定値に基づく最も好ましいものであり得る。もちろん、唯一の追加の拡張情報（たとえば、ランキング、ＵＥ６０２識別子、チャネル測定値など）６３４をもつネイバーリレーションテーブル（ＮＲＴ）６３０は、拡張情報６３４をもつＮＲＴ６３０とみなされ得る。表（２）に示すものよりも少ない、または多い行が、（拡張情報６３４をもつ）ネイバーリレーションテーブル（ＮＲＴ）６３０において使用され得ることに留意されたい。
【００６９】
１つまたは複数のｅＮＢ６１８は、１つまたは複数のネイバーリレーションテーブル（ＮＲＴ）メッセージ６０１を中央ユニット６４６と通信し得る。いくつかの構成では、複数のネイバーリレーションテーブルメッセージ６０１は、送信のための１つのｅＮＢ−ＮＲＴメッセージ６１３に符号化および／またはマッピングされ得る。この符号化および／またはマッピングは、通信ブロック／モジュール６２０（たとえば、中央ユニットインターフェース６０９）によって実行され得る。中央ユニット６４６の例は、１つまたは複数のコンピュータ、サーバ、ゲートウェイ、組込みシステムなどを含む。中央ユニット６４６は、通信ブロック／モジュール６４８および／またはクラスタ判断ブロック／モジュール６５２を含み得る。通信ブロック／モジュール６４８は、ワイヤードおよび／またはワイヤレス通信に基づいてクラスタ識別子メッセージ６０３を送り、および／またはネイバーリレーションテーブル（ＮＲＴ）メッセージ６０１を受信するために使用され得る。たとえば、中央ユニット６４６は、ワイヤードおよび／またはワイヤレスリンクを使用して、情報６０１、６０３を１つまたは複数のｅＮＢ６１８と通信し得る。たとえば、通信ブロック／モジュール６４８は、Ｓ１インターフェース６９８を使用して、中央ユニットインターフェース６１１を使用して、および／またはオーバージエア（ＯＴＡ）シグナリングブロック／モジュール６０５を使用して、１つまたは複数のｅＮＢ６１８と通信し得る（たとえば、１つまたは複数のｅＮＢ６１８との間で、１つまたは複数のクラスタ識別子メッセージ６０３を送信し、および／あるいは１つまたは複数のネイバーリレーションテーブル（ＮＲＴ）メッセージ６０１を受信し得る）。ワイヤレス通信が使用される場合、中央ユニット６４６は１つまたは複数のアンテナ（図示せず）を含み得る。
【００７０】
通信ブロック／モジュール６４８は、クラスタ判断ブロック／モジュール６５２との間で（受信した）情報６５０を与え、および／または（送信のための）情報６５０を取得し得る。たとえば、通信ブロック／モジュール６４８は、（情報６５０の一部として）１つまたは複数のｅＮＢ６１８から受信された１つまたは複数のネイバーリレーションテーブル（ＮＲＴ）メッセージ６５４をクラスタ判断ブロック／モジュール６５２に与え得る。いくつかの構成では、通信ブロック／モジュール６４８（たとえば、中央ユニットインターフェース６１１）は、１つのメッセージ（たとえば、ｅＮＢ−ＮＲＴメッセージ６１３）から複数のネイバーリレーションテーブルメッセージ６０１を復号および／またはデマッピングし得る。追加または代替として、通信ブロック／モジュール６４８は、１つまたは複数のクラスタ識別子（ＣＬＩ）メッセージ６０３として１つまたは複数のｅＮＢ６１８に送信するために、クラスタ判断ブロック／モジュール６５２から１つまたは複数のクラスタ識別子６５６を（情報６５０の一部として）取得または受信し得る。いくつかの構成では、通信ブロック／モジュール６４８（たとえば、中央ユニットインターフェース６１１）は、複数のクラスタ識別子メッセージ６０３を、１つまたは複数のｅＮＢ６１８への送信のための１つのメッセージ（たとえば、ｅＮＢ−ＣＬＩメッセージ６１５）に符号化および／またはマッピングし得る。
【００７１】
クラスタ判断ブロック／モジュール６５２は、１つまたは複数のクラスタ識別子６５６を判断するために使用され得る。たとえば、クラスタ判断ブロック／モジュール６５２は、ネイバーリレーションテーブル（ＮＲＴ）メッセージ６５４に基づいてクラスタ識別子６５６を判断し得る。（１つまたは複数の）クラスタ識別子６５６は、どのセル／セクタがクラスタリングされるか、またはクラスタリングされるべきかを示すために使用され得る。中央ユニット６４６は、（１つまたは複数の）クラスタ識別子６５６を１つまたは複数のクラスタ識別子メッセージ６０３として１つまたは複数のｅＮＢ６１８に送信し得る。
【００７２】
１つまたは複数のｅＮＢ６１８は、中央ユニット６４６から１つまたは複数のクラスタ識別子６４０を（１つまたは複数のクラスタ識別子メッセージ６０３として）受信し得る。この（１つまたは複数の）クラスタ識別子６４０は、（たとえば、情報６９４の一部として）協働ブロック／モジュール６３８に与えられ得る。協働ブロック／モジュール６３８は、他のｅＮＢ６１８と協働するために（１つまたは複数の）クラスタ識別子６４０を使用し得る。言い換えれば、１つまたは複数のｅＮＢ６１８のセル／セクタは、（１つまたは複数の）クラスタ識別子６４０に基づいてクラスタリングされ得る。
【００７３】
クラスタリングされたセクタ／セルを与えるｅＮＢ６１８は協働的に動作し得る。たとえば、クラスタリングされたセル／セクタをもつｅＮＢ６１８は、（ＵＥ６０２が、クラスタリングされたセル／セクタをもつ２つ以上のｅＮＢ６１８と通信することができると仮定すると）ＵＥ６０２と通信するために協働的に動作し得る。たとえば、協働ブロック／モジュール６３８は、他のｅＮＢ６１８との（たとえば、ｅＮＢ６１８とＵＥ６０２との間の）通信を協調させるために（１つまたは複数の）クラスタ識別子６４０を使用し得る。より詳細には、協働ブロック／モジュール６３８は、他のｅＮＢ６１８との通信を協調させるために使用される情報または命令（たとえば、「協調情報」）を生成し得る。協働ブロック／モジュール６３８は、１つまたは複数の他のｅＮＢ６１８への送信のために、この協調情報を（情報６９６の一部として）通信ブロック／モジュール６２０に与え得る。たとえば、この協調情報は、Ｘ２インターフェース６８８および／またはオーバージエア（ＯＴＡ）シグナリングブロック／モジュール６９２を使用して１つまたは複数の他のｅＮＢ６１８にシグナリングされ得る。ｅＮＢ６１８は、追加または代替として、他のｅＮＢ６１８から協調情報を受信し得る。この受信した協調情報は、ＵＥ６０２との通信を、１つまたは複数の他のｅＮＢ６１８と協調させるために使用され得る。たとえば、この受信した協調情報は、この目的のために（たとえば、情報６９４の一部として）協働ブロック／モジュール６３８に与えられ得る。
【００７４】
多地点協働（ＣｏＭＰ）技術への関心は、最近、３ＧＰＰ  Ｒｅｌｅａｓｅ  ９などにおけるセルラー通信調査および標準化団体において高まっている。本明細書で開示するシステムおよび方法は、Ｌｏｎｇ−Ｔｅｒｍ  Ｅｖｏｌｕｔｉｏｎ−Ａｄｖａｎｃｅｄ（ＬＴＥ−Ａｄｖａｎｃｅｄ）システム設計に適用され得る。本明細書で開示するシステムおよび方法によれば、ＣｏＭＰ技術の場合、特にセルエッジＵＥ６０２が受ける干渉を適切に処理するために、いくつかのｅＮＢ６１８および／またはセルが互いに協働する。ＣｏＭＰは、ｅＮＢ、セクタおよび／またはセルに適用され得る。次のように、本明細書で開示するシステムおよび方法について、ｅＮＢ６１８（たとえば、ｅＮＢ６１８、基地局など）に関して説明する。いくつかのｅＮＢ６１８が互いに協働するネットワークを管理するために、ｅＮＢ６１８をクラスタにグループ化し、各クラスタ内でＣｏＭＰ技術を使用することが有利であり得る。「協働」は、同じクラスタに属するｅＮＢ６１８が、クラスタ内で、ＵＥ６０２データと（たとえば、Ｘ２インターフェース６８８、Ｓ１インターフェース６９０、中央ユニットインターフェース６０９、および／またはオーバージエア（ＯＴＡ）シグナリング６９２を介して）適用されるＣｏＭＰ技法のために必要とされる制御シグナリングとを交換することを意味し得る。
【００７５】
本明細書で開示するシステムおよび方法によって対処される一般的な問題は、ｅＮＢ６１８間の協働を可能にするためにネットワーク中のｅＮＢ６１８のクラスタを判断することである。これは３ＧＰＰ  Ｒｅｌｅａｓｅ  ９規格に適用され得る。特に、ネットワーク中のｅＮＢ６１８の（ＵＥ６０２移動による）動的ＵＥアウェアクラスタリングは、ネットワーク状況への適応がない静的または事前計算されたクラスタリングではなく、本明細書のシステムおよび方法に従って実現され得る。「動的」クラスタリングは、クラスタの中長期（mid-to-long term）再計算を意味し得る。「ＵＥアウェア」クラスタリングは、ｅＮＢ６１８（たとえば、セルおよび／またはセクタ）のクラスタを形成するためにＵＥ６０２のロケーションとそれらの固有の無線環境とを考慮に入れることを意味し得る。クラスタリングのための本明細書で開示するシステムおよび方法は、クラスタを形成する際に、適用されるＣｏＭＰ技術を考慮に入れることを可能にする。本明細書で開示するシステムおよび方法は、確立された無線ベアラ／呼に適用され得る。
【００７６】
ネットワーク全体のｅＮＢ６１８のセットは、事前計算され、静的である「上部クラスタ」においてグループ化され得る。中央ユニット（ＣＵ）６４６は、上部クラスタを制御し得、ｅＮＢ６１８とのインターフェースを介して（たとえば、サービングゲートウェイ（ＳＧＷ）中に常駐する中央ユニット６４６のためのＳ１インターフェース６９８を介して）接続され得る。各上部クラスタ内の動的（サブ）クラスタリングが実行され得、それは、上部クラスタに属するｅＮＢ６１８（たとえば、セル／セクタ）のグループが、ＵＥ６０２のロケーションおよび／または干渉状況を活用することによって判断されることを意味する。
【００７７】
本明細書で開示するシステムおよび方法は、多地点協働（ＣｏＭＰ）のためのクラスタリングを自己組織化ネットワーク（ＳＯＮ）技術と組み合わせ得る。たとえば、３ＧＰＰ  Ｒｅｌｅａｓｅ  ８は、ＳＯＮ技術および自動ネイバーリレーション（ＡＮＲ）について検討している。ＡＮＲの場合、ＡＮＲブロック／モジュール６２８がｅＮＢ６１８中に常駐し、ネイバーリレーションテーブル（ＮＲＴ）６３０を管理する。ＮＲＴ６３０は、ターゲットセル識別子（ＴＣＩ）６３２によるターゲットセルに関する情報を含み得る。１つまたは複数のＴＣＩ６０８は、ＵＥ６０２測定値に基づいてＵＥ６０２によって配信される。ＴＣＩ６３２は、測定しているＵＥ６０２のためのサービングセルとして働く、ｅＮＢ６１８の最良の基地局（たとえば、ｅＮＢ）６１８ネイバーに関する情報を含んでいる。ＡＮＲブロック／モジュール６２８は、ｅＮＢ６１８ごとに最新のＮＲＴ６３０を与える。
【００７８】
本明細書で開示するシステムおよび方法は、どのｅＮＢ６１８がクラスタを形成しなければならないかに関する情報を表すクラスタ識別子（ＣＬＩ）６５６、６４０を導入する。中央ユニット６４６は、ＴＣＩを符号化することによってクラスタ識別子６５６を計算し得る。本明細書で開示するシステムおよび方法は、ＮＲＴメッセージ６０１による、中央ユニット６４６へのＮＲＴ６３０の任意の種類の情報の送信を可能にする。ＮＲＴメッセージ６０１は、ＮＲＴ６３０全体、ＮＲＴ６３０のＴＣＩ６３２リスト、またはＴＣＩ６３２リストの一部を含み得る。ＮＲＴメッセージ６０１は、必要な場合ｅＮＢ６１８によってのみ送られ得る。中央ユニット６４６は、ＮＲＴメッセージ６５４を使用して（１つまたは複数の）クラスタ識別子６５６を（再）計算する。（１つまたは複数の）クラスタ識別子６５６の計算は、任意の好適なアルゴリズムを使用して実行され得る。
【００７９】
本明細書で開示するシステムおよび方法は、中央ユニット６４６からｅＮＢ６１８に送られ得るクラスタ識別子メッセージ６０３を導入する。クラスタ識別子メッセージ６０３は、（１つまたは複数の）計算されたクラスタ識別子６５６を報告するために使用され得る。クラスタ識別子メッセージ６０３は、１つのｅＮＢ６１８が協働しなければならないｅＮＢ６１８をその１つのｅＮＢ６１８に示す。再クラスタリングが実行されている（たとえば、実行される必要がある）場合、クラスタ識別子メッセージ６０３はｅＮＢ６１８にのみ送信され得る。１つまたは複数のクラスタ識別子メッセージ６０３を受信すると、ｅＮＢ６１８は、ネットワークを再クラスタリングするために、Ｘ２インターフェース６８８、Ｓ１インターフェース６９０および／または中央ユニットインターフェース６１１を介して通信するためのプロシージャを開始し得る。
【００８０】
本明細書で開示するシステムおよび方法のいくつかの利益は、ネットワークを手動でクラスタリングする負担から事業者を解放し得る自己組織化ネットワーク（ＳＯＮ）自動ネイバーリレーション機能を十分に再使用することを含み得る。また、ＳＯＮの概念は、オペレーションおよびメンテナンス（ＯＡＭまたはＯ＆Ｍ）を介した事業者による介入なしにｅＮＢ６１８をクラスタリングするという意味において自己最適化を可能にする。さらに、クラスタリングのためにネイバーリレーションテーブル（ＮＲＴ）６３０の自動ネイバーリレーション（ＡＮＲ）更新プロシージャを使用することは、クラスタリングが、ＵＥ６０２の現在のネイバー状況に関する中長期情報に基づくことを保証し得る。これは、動的およびＵＥアウェアクラスタリングを可能にする。本明細書で開示するシステムおよび方法はまた、ハイブリッドクラスタリング手法を可能にし得る。たとえば、静的または事前計算された上部クラスタリングは複雑さを低減するが、上部クラスタ内の動的およびＵＥアウェアクラスタリングは、最新のＵＥ６０２ロケーション情報を含む。動的クラスタリングは、基準信号受信電力／品質（ＲＳＲＰ／ＲＳＲＱ）などのＬＴＥ  Ｒｅｌｅａｓｅ  ８の呼プロシージャを使用し得る。したがって、本明細書で開示するシステムおよび方法は、ＵＥ６０２が受けている干渉状況を活用し得る。（静的ではなく）中長期動的再クラスタリングが、多地点協働（ＣｏＭＰ）技術の性能を高めることにつながり得ることに留意されたい。さらに、追加の制御シグナリングが、クラスタリングのために容量限定的なエアインターフェース上で必要とされないことがある。また、追加の測定が、無線エアインターフェース上で必要とされないことがある。さらに、ネイバーリレーションテーブル（ＮＲＴ）の更新が（たとえば、３ＧＰＰ仕様による）通常呼プロシージャに基づくので、クラスタリングに対する更新は通常呼プロシージャに基づき得る。
【００８１】
多地点協働（ＣｏＭＰ）は、現在３ＧＰＰにおける検討事項であるが、提出されたいくつかの提案は、静的クラスタリングに対処しているか、またはそれを仮定している。さらに、３ＧＰＰ提案は、これまで、中央ユニットが利用可能なネットワーク全体の情報を有する中央手法を仮定している。
【００８２】
１つの３ＧＰＰ文書において開示された、ネットワーク定義されたＵＥ支援型クラスタリングは、ネットワークがクラスタパターンのセットを事前定義することができ、所与のＵＥのためのクラスタの選択がフィードバック情報（たとえば、ＲＳＲＰ報告）に基づく、半静的クラスタリング方法であることに留意されたい。その場合、各ＵＥはそれ自体のクラスタを形成し、自己組織化ネットワーク（ＳＯＮ）機能は、クラスタリングのために使用されない。いわゆる「動的クラスタリング」は、３ＧＰＰ文書において検討されている。しかしながら、「動的クラスタリング」は、３ＧＰＰ文書では、単にＵＥ測定値を活用することを意味する。とはいえ、その文書は、どのＵＥ測定値が使用されるか、またはこの情報がネットワークにおいてどのように使用されるかのいずれについても詳細を規定していない。さらに、その「動的クラスタリング」の場合、各ＵＥは、それ自体のクラスタを最適化する。しかしながら、本明細書で開示するシステムおよび方法は、固定上部クラスタに属するすべてのＵＥ６０２とｅＮＢ６１８とに関してクラスタリングを「最適化する」か、または判断する。
【００８３】
協働するノードのネットワークを低い複雑さで管理するために、ノードをクラスタにグループ化し、クラスタに属するノード間の協働を可能にすることは、有益であり得る。上記で説明したように、ｅＮＢ６１８中に常駐するネイバーリレーションテーブル（ＮＲＴ）６３０は、クラスタを形成するために使用され得る。特に、中央ユニット（ＣＵ）６４６は、クラスタを（任意のタイムリーな方法で）判断または計算し得る。上記で説明したように、ｅＮＢ６１８と中央ユニット６４６との間の転送および返信メッセージは、クラスタリングを実行するために使用され得る。さらに、本明細書で開示するシステムおよび方法は、ＮＲＴメッセージ６０１による、中央ユニット６４６へのネイバーリレーションテーブル（ＮＲＴ）の任意の種類の情報を送信することを可能にする。前に説明したように、ＮＲＴメッセージ６０１は、ＮＲＴ６３０全体、ＮＲＴ６３０のターゲットセル識別子（ＴＣＩ）６３２リスト、またはＴＣＩ６３２リストの一部を含み得る。３ＧＰＰ仕様において定義されているＮＲＴ６３０は、この目的のために使用され得る。
【００８４】
しかしながら、本明細書で開示するシステムおよび方法は、（３ＧＰＰ仕様において定義されている）ネイバーリレーションテーブル（ＮＲＴ）が、クラスタリング決定を改善するのに有用である属性によって拡張されることを可能にする。そのような属性の例は、各ＮＲＴ６３０中のＴＣＩ６３２のランクまたはランキング６８２を含み得る。各ｅＮＢ６１８がそれ自体のＮＲＴ６３０を有し得るので、ランクまたはランキング６８２は、協働のために好ましいネイバーｅＮＢ６１８（またはセル／セクタなど）を示す。ランクまたはランキング６８２はＵＥ６０２測定値に基づき得る。いくつかの構成では、ＴＣＩ６３２は、上記で説明したようにＵＥ６０２測定値によって生成され得る。しかしながら、３ＧＰＰ仕様において定義されているＮＲＴの場合、中央ユニット６４６は、測定を実行したＵＥ６０２に関する知識を有しない。すなわち、中央ユニット６４６は、３ＧＰＰ仕様において定義されているＮＲＴが使用される場合、関与するＵＥ６０２に関する知識をまったく有しないであろう。本明細書で開示するシステムおよび方法は、ＮＲＴ６３０のそれぞれのＴＣＩ６３２エントリを判断することに関与したＵＥ６０２のＵＥ識別子（ＩＤ）６７６（たとえば、セル無線ネットワーク一時識別子（Ｃ−ＲＮＴＩ））をリストすることによってＮＲＴ６３０を拡張し得る。追加または代替として、ＵＥ６０２とｅＮＢ６１８との間のチャネルの追加の品質情報がＮＲＴ６３０中に含まれ得る。これはクラスタリングアルゴリズムを改善し得る（ただし、ｅＮＢ６１８と中央ユニット６４６との間のシグナリング作業が大きくなる）。拡張されたＮＲＴ６３０が、任意のＣｏＭＰ技術を使用しているＵＥ６０２に関するＵＥ６０２情報を含むだけでないことがあることに留意されたい。また、「ＣｏＭＰモード」にないＵＥ６０２のＵＥ６０２測定値とそれぞれのＵＥ識別子（ＩＤ）６７６とが、ＮＲＴ６３０中に含まれ得る。
【００８５】
本明細書で開示するシステムおよび方法の１つの利益は、多地点協働（ＣｏＭＰ）技術のためのクラスタリングを改善するために、隣接リスト属性に関するさらに詳細な情報を配信することである。概して、中央ユニット６４６は、クラスタを計算するために活用され得るさらなる情報を与えられ得る。本明細書で開示するシステムおよび方法のいくつかの（さらなる）利益は、次のように与えられる。ＴＣＩ６３２はランク付けされ得る。より詳細には、中央ユニット６４６は、どのｅＮＢ６１８が選好されるかの指示を取得し得る。これは、ｅＮＢ６１８がＮＲＴメッセージ６０１を使用してＴＣＩ６３２リストを中央ユニット６４６に送ることによって達成され得る。この情報は、より良い（再）クラスタリング判断または決定を取得するために、中央ユニット６４６によって（たとえば、アルゴリズムにおいて）使用され得る。ＵＥ識別子（ＩＤ）６７６を使用するＮＲＴ６３０の拡張は有益であり得る。中央ユニット６４６が、どのＵＥ６１８が（接続されるべきＵＥ６１８にとって）好ましいｅＮＢ６１８を示したかを知っている場合、中央ユニット６４６は、より良くクラスタリングを実行するためにこの情報を使用し得る。「より良いクラスタリング」とは、必要な場合のみ再クラスタリングを実行し、いくつかの制御シグナリングを回避し、および／または多地点協働（ＣｏＭＰ）性能を高めるという意味において改善された決定を意味し得る。
【００８６】
次に、本明細書で開示するシステムおよび方法の一例についてのさらなる詳細を以下のように与える。本明細書で開示するシステムおよび方法は、多地点協働（ＣｏＭＰ）送信を実行するために、セルのクラスタリングに対処する。本明細書で開示するシステムおよび方法は、ＬＴＥ−Ａｄｖａｎｃｅｄ（たとえば、３ＧＰＰ  Ｒｅｌｅａｓｅ  １０以降）に適用され得る。概して、クラスタにグループ化されているセル（たとえば、ｅＮＢ６１８）は、それらの送信を互いに協働して、セルエッジＵＥ６０２が受けることがあるセル間干渉を管理する。本明細書で開示するシステムおよび方法は、セルクラスタリングを実装するために、（たとえば、３ＧＰＰ  ＬＴＥ  Ｒｅｌｅａｓｅ  ９において規定されている）自己組織化ネットワーク（ＳＯＮ）機能と自動ネイバーリレーション（ＡＮＲ）機能とを適用し得る。特に、本明細書で開示するシステムおよび方法は、ＡＮＲブロック／モジュール６２８によって制御されるセルのネイバーリレーションテーブル（ＮＲＴ）６３０を使用する制御シグナリング概念を導入する。ＡＮＲ機能が（ＵＥ６０２測定を含む）通常呼プロシージャを使用するので、ＮＲＴ６３０は、ネイバーロケーションに関する最新の情報を含み得る。この情報はクラスタの計算において活用され得、それにより、動的およびＵＥアウェアクラスタリングを生じる。次のように、シグナリング概念について説明し、その後に、クラスタリングを実行するために使用される制御メッセージおよびアーキテクチャの概念を説明する。
【００８７】
多地点協働（ＣｏＭＰ）の場合、セルエッジＵＥ６０２が受ける干渉を処理するために、Ｅｖｏｌｖｅｄ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）のいくつかのセルは、それらの送信をＵＥ６０２と協働する。いくつかのセルが協働するネットワークを管理するために、セルをクラスタにグループ化し、各クラスタ内でＣｏＭＰ技術を実行することは有利である。セル間の協働は、同じクラスタに属するセルが、任意のユーザデータと、適用されるＣｏＭＰ技法のために必要とされる制御シグナリングとを交換することを意味し得る。セルのクラスタ内のこの交換は、１つのｅＮＢ６１８のセル間の任意のバックプレーンリンクを介して行われるか、あるいは、情報がｅＮＢ６１８間で交換されなければならない場合は、たとえば、Ｘ２インターフェース６８８、Ｓ１インターフェース６９０、中央ユニットインターフェース６０９、および／またはオーバージエア（ＯＴＡ）シグナリング６９２を使用して行われるかのいずれかであり得る。
【００８８】
クラスタリングを用いたコンテキストにおいて対処されるべき課題は、（１）たとえば、ネットワークおよび無線チャネルに関する情報を活用することによって、何らかの（「最適な」）方法でクラスタを計算するクラスタリングを設計すること、（２）時間通りに情報を確実に与える関連する制御シグナリングを設計すること、および（３）全体的なアーキテクチャのフレームワークを、全体的なクラスタリングを実装するように設計することである。
【００８９】
多地点協働（ＣｏＭＰ）技術は、主に、時間変動無線チャネル状態を考慮に入れることによって干渉を最適に管理するように設計されるので、「最適」になるように分類されるクラスタリングアルゴリズムは、クラスタの計算のために時間変動無線チャネル状態をも活用し得る（本明細書では「最適」という用語は、可能な実際の最良の性能を示すことも示さないこともあることに留意されたい）。欠点は、アルゴリズムの複雑さがより高くなることと、無線インターフェースおよびＸ２インターフェース６８８上での制御シグナリングの増加とを含み得る。いくつかの従来の手法は、無線チャネル状態を考慮せずにクラスタが事前定義され、クラスタが経時的に固定された静的／固定クラスタリングに対処する。３ＧＰＰ文書に記載されているネットワーク定義されたＵＥ支援型クラスタリング方法は、ネットワークがクラスタパターンのセットを事前定義することができ、所与のＵＥのためのクラスタの選択がフィードバック情報（たとえば、基準信号受信電力（ＲＳＲＰ）報告）に基づく、半静的クラスタリング方法である。いわゆる「動的クラスタリング」は、３ＧＰＰ文書（Ｒ１−０９０６５７）に記載されている。３ＧＰＰ文書では、「動的クラスタリング」は、ＵＥ測定値を活用することを意味する。しかしながら、どのＵＥ測定値が使用されるか、またはこの情報がどのようにネットワークにおいて処理されるかに関する詳細は与えられていない。
【００９０】
本明細書で開示するシステムおよび方法の一例は、セルのクラスタリングを可能にするために、３ＧＰＰ  Ｒｅｌｅａｓｅ  ９において規定されている自己組織化ネットワーク（ＳＯＮ）機能の適用を導入する。特に、（たとえば、自動ネイバーリレーション（ＡＮＲ）機能と呼ばれる）自己組織化ネットワーク（ＳＯＮ）機能が使用され得る。特に、３ＧＰＰ  Ｒｅｌｅａｓｅ  ９は、ネイバーリレーションテーブル（ＮＲＴ）を管理するＳＯＮ技術のＡＮＲについて検討している。ｅＮＢ６１８の各セルについて、ｅＮＢ６１８はＮＲＴ６３０を保持する。ＮＲＴ６３０は、したがってセル固有であり得、そのセルの最良のセルネイバーに関する情報を含み得る。３ＧＰＰ仕様において定義されているように、ＮＲＴ６３０は、通常呼プロシージャの一部としてＵＥ６０２によって実行される測定に基づき得る。結果として、ＮＲＴ６３０（またはＮＲＴ６３０中に含まれている情報）は、ＵＥアウェアおよび動的クラスタリングを実行するためのクラスタリングアルゴリズムによって活用され得る。「動的クラスタリング」は、クラスタの中長期再計算を意味し得る。「ＵＥアウェア」は、セルのクラスタを形成するために、ＵＥ６０２のロケーションとそれらの固有の無線環境とを考慮に入れることを意味し得る。また、各ＵＥがそれ自体のクラスタを「最適化する」クラスタリングを実行することとは反対に、ＮＲＴ６３０を使用することによって、クラスタ計算に関与するすべてのＵＥ６０２およびセルに関してクラスタリングが「最適化される」ことに留意されたい。最後に、自己組織化ネットワーク（ＳＯＮ）技術は、ネットワークを手動でクラスタリングする負担から事業者を解放し得る（たとえば、クラスタリングは、オペレーションおよびメンテナンス（Ｏ＆Ｍ）を介した事業者による介入なしに実行され得る）ことに留意されたい。
【００９１】
クラスタリングを実行するための制御シグナリング概念、制御メッセージおよびアーキテクチャの概念について説明する。クラスタリングのための本明細書で開示するシステムおよび方法は、クラスタを形成する際に、適用される多地点協働（ＣｏＭＰ）技術を考慮に入れることを可能にする。その上、記載のクラスタリング手法は、確立された無線ベアラ／呼のために適用され得る。
【００９２】
この例は、次のように編成され得る。最初に、自動ネイバーリレーション（ＡＮＲ）機能およびネイバーリレーションテーブル（ＮＲＴ）６３０について説明する。次に、クラスタリングを可能にするための自己組織化ネットワーク（ＳＯＮ）機能ＡＮＲの提案された適用について詳細に説明する。制御シグナリングに関する詳細を与え、基本アーキテクチャの問題を取り上げる。次いで、（適用されるＣｏＭＰ技術のより良い性能を取得するという意味において）クラスタリングを改善するためのＮＲＴ拡張のいくつかのより具体的な例を与える。次いで、自己組織化ネットワーク（ＳＯＮ）の利益および特性の一部について説明する。最後にこの例のいくつかの主要な態様を要約する。
【００９３】
次のように、自動ネイバーリレーション（ＡＮＲ）機能について手短に説明する。さらに、ＡＮＲのコンテキストにおけるネイバーリレーションについて説明し、３ＧＰＰ仕様において定義されているネイバーリレーションテーブル（ＮＲＴ）について説明する。
【００９４】
自己組織化ネットワーク（ＳＯＮ）の一般的な目的は、（たとえば、オペレーションおよびメンテナンス（Ｏ＆Ｍ）を介して）ネットワークを手動で管理する負担から事業者を解放することであり得る。したがって、ＡＮＲ機能は、ネイバー（セル）リレーション（ＮＲ）がネットワークによって自動管理されるという方法で設計されている。ＡＮＲ機能と、それの固有のサブ機能と、オペレーションおよびメンテナンス（Ｏ＆Ｍ）との対話とが、３ＧＰＰ仕様に記載されている。３ＧＰＰ仕様では、ＡＮＲ機能による、ｅＮＢとオペレーションおよびメンテナンス（Ｏ＆Ｍ）との間の対話が記載されている。
【００９５】
ＡＮＲブロック／モジュール６２８はｅＮＢ６１８中に常駐し、ネイバーリレーションテーブル（ＮＲＴ）６３０を管理する。ＡＮＲブロック／モジュール６２８の１つのサブ機能は、新しいネイバーを発見し、それらをＮＲＴ６３０に追加するネイバー検出機能である。その上、古いネイバーリレーションを削除するために、ＡＮＲブロック／モジュール６２８はネイバー削除機能をも含んでいる。両方のサブ機能、ネイバー検出機能およびネイバー削除機能は、実装形態固有であり得る。
【００９６】
ＡＮＲ機能のコンテキストにおけるネイバーリレーション（ＮＲ）が意味することの１つの定義は、次のように与えられる。ソースセルとターゲットセルとの間のネイバーリレーションが定義されるが、ソースセルはｅＮＢ６１８によって制御される。ソースセルを制御するｅＮＢ６１８が、（１）ターゲットセルのＥ−ＵＴＲＡＮセルグローバル識別子（ＥＣＧＩまたはＣＧＩ）と物理セル識別子（ＰＣＩ）とを知っており、（２）ターゲットセルを識別するソースセルのためのネイバーリレーションテーブル６３０中のエントリを有し、（３）（オペレーションおよびメンテナンス（Ｏ＆Ｍ）によって、またはデフォルト値に設定されるかのいずれかで）定義された、このネイバーリレーションテーブルエントリ中の属性を有する場合、ネイバーリレーションが存在し得る。
【００９７】
ｅＮＢ６１８の各セル（たとえば、セクタ）について、ｅＮＢ６１８はＮＲＴ６３０を保持し得る。ＮＲＴ６３０の一例を上記の表（１）に示した。各既存のネイバーリレーション（ＮＲ）について、ターゲットセル識別子（ＴＣＩ）６３２を含んでいるＮＲＴ（行）６３０中にそれのエントリがあることがわかり得る。ＴＣＩ６３２はターゲットセルを識別し、（Ｅ−ＵＴＲＡＮの場合）ＴＣＩ６３２は、ターゲットセルのＥ−ＵＴＲＡＮセルグローバル識別子（ＥＣＧＩ）と物理セル識別子（ＰＣＩ）とに対応する。
【００９８】
この例では、ｅＮＢ６１８は、ＴＣＩ６０８を取得するために、各ＵＥ６０２に、ネイバーセルに対して測定を実行するように命令する。このプロシージャは、３ＧＰＰ仕様において規定されている通常呼プロシージャの一部である。ｅＮＢ６１８は、ＵＥ６０２に、測定を行うことと、測定値をいつｅＮＢ６１８に報告すべきかとを命令するために異なるポリシーを使用し得る。ＮＲＴ６３０エントリを使用することによって、中長期ＵＥ固有情報は考慮に入れられ得る。ＴＣＩ６３２に加えて、クラスタリング性能を改善するために、チャネル状態情報などの他の情報６１０がＵＥ６０２によってｅＮＢ６１８に報告され得る。これについては、以下でより詳細に説明する。
【００９９】
上記の表（１）に示したように、各ネイバーリレーション（ＮＲ）エントリは、３つの属性、すなわち「削除なし」属性、「ＨＯなし」属性および「Ｘ２なし」属性を有する。これらの属性はオペレーションおよびメンテナンス（Ｏ＆Ｍ）によって制御され得ることに留意されたい。これらの属性は、次のように定義され得る。「削除なし」属性がチェックされた場合、ｅＮＢ６１８は、ネイバーリレーションテーブル（ＮＲＴ）６３０からネイバーリレーション（ＮＲ）を削除しない。「ＨＯなし」属性がチェックされた場合、ネイバーリレーション（ＮＲ）は、ハンドオーバの理由のためにｅＮＢ６１８によって使用されない。「Ｘ２なし」属性がチェックされた場合、ネイバーリレーション（ＮＲ）は、ターゲットセルの親になるｅＮＢ６１８に対してプロシージャを開始するためにＸ２インターフェース６８８を使用しない。本明細書で開示するシステムおよび方法によれば、より多くの情報がネイバーリレーションエントリに追加され得ることに留意されたい。
【０１００】
ネイバーリレーション（ＮＲ）はセル間リレーションであるが、Ｘ２リンクは２つのｅＮＢ６１８間にセットアップされることに留意されたい。その上、ネイバーリレーション（ＮＲ）は単指向であり得るが、Ｘ２リンクは双方向であり得る。事業者によるＡＮＲ機能の制御を可能にするために、ＡＮＲブロック／モジュール６２８は、オペレーションおよびメンテナンス（Ｏ＆Ｍ）機能へのインターフェースを有する。オペレーションおよびメンテナンス（Ｏ＆Ｍ）機能を使用することによって、事業者は、必要な場合、手動でネイバーリレーション（ＮＲ）を追加および削除し得る。さらに、オペレーションおよびメンテナンス（Ｏ＆Ｍ）機能はまた、ＮＲＴ６３０の属性を変更することを可能にする。また、現在のネイバーリレーション（ＮＲ）状況を事業者に与えるために、オペレーションおよびメンテナンス（Ｏ＆Ｍ）機能（たとえば、ブロック／モジュール）は、ＮＲＴ６３０の変更について通知され得る。
【０１０１】
次に、この例のための制御シグナリングおよびアーキテクチャのフレームワークについて、より詳細に説明する。多数のセルをもつネットワーク全体のクラスタリングを許容できる複雑さで管理するために、セルのセットが、最初に、事前計算され静的である上部クラスタにグループ化され得る。中央ユニット（ＣＵ）６４６は、そのような上部クラスタを制御する。中央ユニット６４６は、Ｅｖｏｌｖｅｄ  Ｐａｃｋｅｔ  Ｓｙｓｔｅｍ（ＥＰＳ）のサービングゲートウェイ（ＳＧＷ）中にあり得る。ＳＧＷはＬｏｎｇ  Ｔｅｒｍ  Ｅｖｏｌｕｔｉｏｎ（ＬＴＥ）仕様に従って構成され得ることに留意されたい。たとえば、ＳＧＷは、モビリティ管理エンティティ（ＭＭＥ）およびパケットデータネットワーク（ＰＤＮ）ゲートウェイをもつ拡張パケットコアの一部であり得るが、ｅＮＢ６１８はＥ−ＵＴＲＡＮの一部であり得る。
【０１０２】
別の構成では、中央ユニット（ＣＵ）６４６は、オペレーションおよびメンテナンス（ＯＡＭ）機能ブロック／モジュール（たとえば、ネットワーク管理ブロックまたはネットワークマネージャ）中にあり得る。たとえば、ＯＡＭ機能ブロック／モジュールは、ｅＮＢ６１８および／またはＳＧＷとは別に位置し得る。ＯＡＭ機能ブロック／モジュールは、ネットワーク管理ブロック／モジュールまたはネットワークマネージャ（ＮＭ）を含み得る。ＣＵ６４６は、ＯＡＭ機能ブロック／モジュールおよび／またはネットワーク管理ブロック／モジュールまたはネットワークマネージャ中に含まれ得る。ＯＡＭ機能ブロック／モジュールおよび／またはネットワークマネージャはＬｏｎｇ  Ｔｅｒｍ  Ｅｖｏｌｕｔｉｏｎ（ＬＴＥ）仕様に従って構成され得ることに留意されたい。たとえば、ｅＮＢ６１８は、Ｎインターフェース（Ｉｔｆ−Ｎ）（および／またはドメイン管理／要素管理（ＤＭ／ＥＭ）ブロック／モジュールが使用される場合、Ｓインターフェース（Ｉｔｆ−Ｓ））を使用して、ＯＡＭおよび／またはＮＭと通信し得る。本明細書で使用する「ブロック／モジュール」（または「ブロックまたはモジュール」）という用語は、要素がハードウェア、ソフトウェアまたは両方の組合せで実装され得ることを示すために使用され得る。
【０１０３】
さらに別の構成では、中央ユニット６４６は、Ｅｖｏｌｖｅｄ  Ｐａｃｋｅｔ  Ｓｙｓｔｅｍ（ＥＰＳ）の別の論理ノードであり得る。中央ユニット６４６を使用することによって、導入されるクラスタリング方法は中央手法である。たとえば、分散クラスタリングは、本明細書で開示するシステムおよび方法の範囲内でないことがある。より詳細には、中央ユニット（ＣＵ）は、セルのサブセット（たとえば、（サブ）クラスタ）を計算するという意味において、それの上部クラスタを制御し、このサブセット内のセルは、多地点協働（ＣｏＭＰ）通信を実行するために互いに協働する。本明細書で開示するシステムおよび方法は、中央ユニット（ＣＵ）６４６と、セルが互いに協働する各ｅＮＢ６１８との間のインターフェースをさらに導入する。このインターフェースは、（便宜上、図６に「ＣＵインターフェース」として示した）中央ユニットインターフェース６０９、６１１と呼ばれ得る。中央ユニットインターフェース６０９、６１１は双方向であり得、中央ユニット６４６を１つまたは複数のｅＮＢ６１８とリンクする。
【０１０４】
ｅＮＢ６１８のすべてのセルが１つの上部クラスタにグループ化され、それにより１つのｅＮＢ６１８の２つのセルが異なる上部クラスタにグループ化される状況を回避することが仮定され得る。Ｘ２リンクが２つのｅＮＢ６１８間にセットアップされ得るので、これは多地点協働（ＣｏＭＰ）通信のためのＸ２制御シグナリングを簡略化し得る。
【０１０５】
中央ユニット６４６は、ＮＲＴ６３０からの任意の種類の情報を使用して（サブ）クラスタを計算し得る。この情報は、中央ユニットインターフェース６０９を介してメッセージによって中央ユニット６４６に送信される。これは、上記で説明したようにＡＮＲ機能を利用することによって、クラスタの計算を保証する。一例として、ＮＲＴ６３０のＴＣＩ６３２は、サービングセルとして働くセルの最良のセルネイバーに関する最新の情報を含んでいる。したがって、ＴＣＩ６３２は、中央ユニットインターフェース６０９を介して中央ユニット６４６に送信され得、中央ユニット６４６は、クラスタを計算するためにＴＣＩ６３２を使用する。ＴＣＩ６３２に加えて、クラスタを計算するために、ＮＲＴ６３０のさらなるエントリも中央ユニット６４６によって使用され得ることに留意されたい。これについては以下でさらに取り上げ、クラスタの計算を改善するためのＮＲＴ６３０の拡張について説明する。
【０１０６】
本明細書で開示するシステムおよび方法による、クラスタリングを管理することは、次のように進み得る。ＮＲＴメッセージ６０１は、中央ユニットインターフェース６０９を介してｅＮＢ６１８から中央ユニット６４６に送信され得る。ＮＲＴメッセージ６０１は、ＮＲＴ６３０全体、ＮＲＴ６３０のＴＣＩ６３２リスト、ＴＣＩ６３２リストの一部および／または他の情報を含み得る。ＮＲＴ６３０はセル固有であるので、ＮＲＴメッセージ６０１はセル固有であり得る。追加または代替として、同じｅＮＢ６１８に属するセルのＮＲＴメッセージ６０１は、中央ユニットインターフェース６０９を介して中央ユニット６４６に送信される（便宜上、図６にｅＮＢ−ＮＲＴメッセージ６１３として示した）メッセージ６１３に符号化およびマッピングされ得る。ｅＮＢ−ＮＲＴメッセージ６１３は、必要な場合ｅＮＢ６１８によってのみ送られ得る。
【０１０７】
本明細書で開示するシステムおよび方法はまた、セルの識別情報を表すクラスタ識別子（ＣＬＩ）６４０、６５６（たとえば、ＥＣＧＩ、ＣＧＩ、ＰＣＩおよび／または他のセル識別子）を定義する。リストが、当該のセルが協働しなければならないセルのセットを反映するように、クラスタ識別子（ＣＬＩ）６４０、６５６がセルごとに定義され得る。多地点協働（ＣｏＭＰ）通信のためのセルのマスター／スレーブアーキテクチャの場合、クラスタ識別子（ＣＬＩ）６４０、６５６はまた、マスターセルとスレーブセルとを識別する情報を含み得る。
【０１０８】
中央ユニット６４６は、上部クラスタに属するすべてのセルについてクラスタ識別子６４０を計算する。これを達成するために、中央ユニット６４６は、受信したｅＮＢ−ＮＲＴメッセージ６１３をＮＲＴメッセージ６５４に復号およびデマッピングし得る。ＮＲＴメッセージ６５４のコンテンツに基づいて、中央ユニット６４６はクラスタ識別子６５６を計算する。クラスタ識別子６５６を計算するための１つの手法を以下に与える。
【０１０９】
中央ユニット６４６は、（便宜上、図６に「ＣＵインターフェース」として示した）中央ユニットインターフェース６１１を介して１つまたは複数のクラスタ識別子メッセージ６０３（たとえば、ＣＬＩメッセージ）を１つまたは複数のｅＮＢ６１８に送信し得る。クラスタ識別子メッセージ６０３は、計算されたクラスタ識別子６０３を含み得る。中央ユニット６４６がセルごとにクラスタ識別子６５６を計算するので、クラスタ識別子メッセージ６０３はセル固有であり得る。同じｅＮＢ６１８に属するセルのクラスタ識別子メッセージ６０３は、中央ユニットインターフェース６１１を介してｅＮＢ６１８に送信される（便宜上、図６にｅＮＢ−ＣＬＩメッセージ６１５として示した）メッセージ６１５に符号化およびマッピングされ得る。ｅＮＢ６１８またはセルが、（再）クラスタリングに関するグローバル情報を受信した場合、クラスタ識別子メッセージ６０３の符号化およびマッピングは、セル固有のクラスタ識別子メッセージ６０３のセットに適用され得る。再クラスタリングが必要とされる場合、クラスタ識別子メッセージ６０３（たとえば、ｅＮＢ−ＣＬＩメッセージ６１５）のみが送信され得る。セル（たとえば、ｅＮＢ６１８）は、クラスタ識別子メッセージ６０３（たとえば、ｅＮＢ−ＣＬＩメッセージ６１５）を受信するとすぐに、ネットワークを再クラスタリングするためのプロシージャを開始し得る。このプロシージャは、同期および／または非同期（再）クラスタリングに従って行われ得る。
【０１１０】
中央ユニット６４６がＥｖｏｌｖｅｄ  Ｐａｃｋｅｔ  Ｓｙｓｔｅｍ（ＥＰＳ）のサービングゲートウェイ（Ｓ−ＧＷ）中に常駐する場合、Ｓ１インターフェース６９８は中央ユニットインターフェース６１１を含むように拡張され得る。しかしながら、中央ユニット６４６が何らかの他のデバイス中に常駐する場合、中央ユニットインターフェース６１１は独立であり得る。中央ユニット６４６がオペレーションおよびメンテナンス（ＯＡＭ）機能ブロック中に常駐する場合、「Ｉｔｆ−Ｎ」インターフェースが変更される必要があり得ることに留意されたい。
【０１１１】
記載の制御シグナリングを仮定すれば、本明細書で開示するシステムおよび方法は、中央ユニット６４６がセルの（再）クラスタリングを十分に制御する中央手法を使用し得る。しかしながら、決定プロセス中にｅＮＢ６１８またはセルを部分的に含める（たとえば、ｅＮＢ６１８がクラスタリング決定を拒否または変更し得る）代替手法が使用され得る。
【０１１２】
本明細書で開示するシステムおよび方法のこの例を続けると、クラスタリング決定を改善するのに有用な任意の属性によって（３ＧＰＰ仕様において定義されている）ネイバーリレーションテーブル（ＮＲＴ）を拡張するいくつかの例について、次のように説明する。属性の一例は、各ＮＲＴ６３０中のＴＣＩ６３２のランクまたはランキング６８２である。各セルがそれ自体のＮＲＴ６３０を有するので、ランクまたはランキング６８２は協働のために好ましいネイバーセルを示す。ランクまたはランキング６８２はＵＥ６０２測定値に基づき得る。
【０１１３】
ＴＣＩ６３２リストは、３ＧＰＰ仕様およびリファレンスに記載されているようにＵＥ６０２測定値を使用して通常呼プロシージャによって生成され得ることに留意されたい。しかしながら、３ＧＰＰ仕様において定義されているＮＲＴの場合、中央ユニット６４６は、測定を実行したＵＥ６０２に関する知識を有しないであろう。したがって、中央ユニット６４６は、関与するＵＥ６０２に関する固有の知識を有しないであろう。したがって、ＮＲＴ６３０は、ＮＲＴ６３０のそれぞれのＴＣＩ６３２エントリを判断することに関与したＵＥ６０２のＵＥ  ＩＤ（たとえば、セル無線ネットワーク一時識別子またはＣ−ＲＮＴＩ）６７６をリストすることによって拡張され得る。３ＧＰＰ  Ｒｅｌｅａｓｅ  ８およびＲｅｌｅａｓｅ  ９のＵＥが多地点協働（ＣｏＭＰ）通信をサポートしないことがあるので、どのＲｅｌｅａｓｅが、測定を実行するＵＥ６０２によってサポートされるかに関する追加の情報が必要とされることがある。
【０１１４】
ＵＥ  ＩＤ６７６に加えて、ＵＥ６０２とセル（たとえば、ｅＮＢ６１８）との間のチャネルの追加の品質情報がＮＲＴ６３０中に含まれ得る。これはクラスタリングアルゴリズムを改善し得るが、ｅＮＢ６１８と中央ユニット６４６との間のシグナリング作業が大きくなる。上記の表（２）に、「拡張された」ＮＲＴ６３０の一例を示した。言い換えれば、表（２）は、ｅＮＢ６１８中に常駐する拡張情報６３４をもつＮＲＴ６３０を示している。拡張情報６３４の一例は、ＴＣＩ６３２のランクまたはランキング６８２である。別の例は、ＵＥ  ＩＤ６７６および／または対応するＣＱＩ６８０を含むことである。「拡張された」ＮＲＴ６３０は、多地点協働（ＣｏＭＰ）技術を使用し、処理し、および／または使用することが可能であるＵＥ６０２に関するＵＥ６０２情報を含むだけではないことがあることに留意されたい。また、「ＣｏＭＰモード」にないＵＥ６０２のＵＥ６０２測定値とそれぞれのＵＥ  ＩＤ６７６とが、ＮＲＴ６３０中に含まれ得る。
【０１１５】
自己組織化ネットワーク（ＳＯＮ）クラスタリングの特性について以下で説明する。すなわち、本明細書で開示するシステムおよび方法による自己組織化ネットワーク（ＳＯＮ）クラスタリングの主要な特性のいくつかについて、次のように説明する。一構成では、自己組織化ネットワーク（ＳＯＮ）自動ネイバーリレーション（ＡＮＲ）機能は、ＮＲＴ６３０の更新プロシージャをクラスタリングプロシージャに含めることによって再使用され得る。これは、（たとえば、オペレーションおよびメンテナンス（Ｏ＆Ｍ）を介した事業者の介入なしにクラスタリングすることによって）ネットワークを手動でクラスタリングする負担から事業者を解放し得る。これはまた、動的（たとえば、中長期）およびＵＥアウェアクラスタリングを可能にし得る。
【０１１６】
自己組織化ネットワーク（ＳＯＮ）クラスタリングの別の特性はハイブリッドクラスタリング手法であり得る。この手法では、静的／事前計算された上部クラスタリングが使用され、それにより複雑さが低減し得る。最新のＵＥ６０２ロケーション情報を含む、上部クラスタ内の動的およびＵＥアウェアクラスタリングが使用され得る。（静的クラスタリングではなく）中長期動的再クラスタリングはＣｏＭＰ技術のための性能を高めることにつながり得ることに留意されたい。
【０１１７】
一構成では、自己組織化ネットワーク（ＳＯＮ）クラスタリングは、３ＧＰＰ仕様において規定されている通常呼プロシージャを利用し得る。これは、ＵＥ６０２が受けている干渉状況を活用し得る。この構成では、追加の測定も、追加の制御シグナリングも、容量限定エアインターフェース上で必要とされない。
【０１１８】
上記で説明したネイバーリレーションテーブル（ＮＲＴ）６３０を拡張する１つの利益は、多地点協働（ＣｏＭＰ）通信のためのクラスタリングを改善するために隣接リスト属性に関するさらに詳細な情報を配信することである。概して、中央ユニット６４６は、クラスタを計算するために活用され得るさらなる情報を取得し、および／または与えられ得る。ＮＲＴ６３０を拡張することは、いくつかの利益を与え得る。より詳細には、中央ユニット６４６は、どのセル（たとえば、ｅＮＢ６１８）が選好されるかの指示を取得し得る。これは、ｅＮＢ６１８がＮＲＴメッセージ６０１を使用してＴＣＩ６３２リストを中央ユニット６４６に送ることによって達成され得る。この情報は、より良い（再）クラスタリング判断または決定を取得するために、中央ユニット６４６によって（たとえば、アルゴリズムにおいて）使用され得る。ＵＥ識別子（ＩＤ）６７６を使用するＮＲＴ６３０の拡張は有益であり得る。中央ユニット６４６が、どのＵＥ６０２が（接続されるべきＵＥ６０２にとって）好ましいｅＮＢ６１８を示したかを知っている場合、中央ユニット６４６は、より良くクラスタリングを実行するためにこの情報を使用し得る。「より良いクラスタリング」とは、必要な場合のみ再クラスタリングを実行し、いくつかの制御シグナリングを回避し、および／または多地点協働（ＣｏＭＰ）性能を高めるという意味において改善された決定を意味し得る。
【０１１９】
この例の概要では、自己組織化ネットワーク（ＳＯＮ）自動ネイバーリレーション（ＡＮＲ）機能は、多地点協働（ＣｏＭＰ）通信のためのセルの動的およびＵＥアウェアクラスタリングを可能にするために適用され得る。セルごとのＮＲＴ６３０（たとえば、ＮＲＴ６３０中に含まれる情報）は、セルを協働するクラスタを計算するためのクラスタリングアルゴリズムによって使用され得る。この手法のいくつかの利点は、動的およびＵＥアウェアクラスタリングと、３ＧＰＰ仕様においてすでに規定された呼プロシージャおよびＵＥ測定値の再使用と、自己組織化ネットワーク（ＳＯＮ）自動ネイバーリレーション（ＡＮＲ）機能のために事業者の介入がないクラスタリングとを含む。
【０１２０】
図７は、ネイバーリレーションを使用してセルをクラスタリングするためのシステムおよび方法が実装され得る、いくつかの発展型ノードＢ（ｅＮＢ）７１８と１つの中央ユニット７４６との一例を示す図である。図示のように、（それらのセル／セクタ７１７ａ〜ｉをもつ）いくつかのｅＮＢ７１８ａ〜ｃは上部クラスタ７５８中に含まれ得る。また、中央ユニット７４６は上部クラスタ７５８に対応し得る。この例では、各ｅＮＢ７１８ａ〜ｃは３つのセル／セクタ７１７ａ〜ｉを与える。より詳細には、ｅＮＢ  Ａ７１８ａはセル／セクタ７１７ａ〜ｃを与え、ｅＮＢ  Ｂ７１８ｂはセル／セクタ７１７ｄ〜ｆを与え、ｅＮＢ  Ｃ７１８ｃはセル／セクタ７１７ｇ〜ｉを与える。
【０１２１】
ｅＮＢ７１８ａ〜ｃはＵＥ  Ａ〜Ｂ  ７０２ａ〜ｂと通信し得る。たとえば、ｅＮＢ  Ａ７１８ａは、ＵＥ  Ａ７０２ａにターゲットセル識別子（ＴＣＩ）を取得するように命令し得る。ＵＥ  Ａ７０２ａは、たとえば、セル／セクタＡ７１７ａ、セル／セクタＣ７１７ｃ、セル／セクタＤ７１７ｄおよびセル／セクタＥ７１７ｅからＴＣＩを受信および／または測定し得る。ＵＥ  Ａ７０２ａはまた、セル／セクタＡ７１７ａおよびセル／セクタＣ〜Ｅ  ７１７ｃ〜ｅから、チャネル品質インジケータ（ＣＱＩ）、基準信号受信電力（ＲＳＲＰ）などの他の測定値を取得し得る。ＵＥ  Ａ７０２ａは、ＴＣＩ、他の測定値および／またはＵＥ識別子をｅＮＢ  Ａ７１８ａに与え得る。ｅＮＢ  Ａ７１８ａは、ＴＣＩを１つまたは複数のネイバーリレーションテーブル７３０中に配置し得る。追加または代替として、ｅＮＢ  Ａ７１８ａは、他の測定値およびＵＥ識別子のうちの１つまたは複数を（１つまたは複数の）ＮＲＴ７３０中に配置し得る。ＴＣＩ、測定値の１つまたは複数および／またはＵＥ識別子は（インデックスおよび／または他の属性とともに）、ＮＲＴ７３０中のネイバーリレーション（ＮＲ）エントリを構成し得る。いくつかの構成では、ｅＮＢ  Ａ７１８ａは、１つまたは複数のＵＥ７０２測定値（たとえば、ＣＱＩ、ＲＳＲＰなど）に基づいてテーブル中のネイバーリレーションエントリをランク付けし得る。
【０１２２】
ｅＮＢ  Ａ７１８ａは、ＮＲＴメッセージ７１９をゲートウェイ７２９中に格納された中央ユニット７４６に送信し得る。ゲートウェイ７２９の一例は、サービングゲートウェイ（ＳＧＷ）である。ゲートウェイ７２９は、１つまたは複数のｅＮＢ７１８ａ〜ｃ（およびＵＥ７０２ａ〜ｂ）からネットワーク７３１に情報を中継し得る。ネットワーク７３１の例は、公衆交換電話網（ＰＳＴＮ）、インターネットなどを含み得る。このネットワーク７３１は、本明細書で説明する基地局（たとえば、ノードＢ、ｅＮＢなど）またはセルのネットワークと混同されるべきでない。中央ユニット７４６とｅＮＢ７１８ａ〜ｃのうちの１つまたは複数との間の通信は、中央ユニットインターフェースを使用して行われ得ることに留意されたい。ＮＲＴメッセージ７１９は、ＮＲＴ７２１全体、ＴＣＩリスト７２３、ＴＣＩリスト７２５の一部および／または他の情報を備え得る。一構成では、ＮＲＴメッセージ７１９は、ｅＮＢ  Ａ７１８ａによって与えられるセル／セクタ（たとえば、セル／セクタＡ〜Ｃ  ７１７ａ〜ｃ）についての（符号化およびマッピングされた）ＮＲＴメッセージを備え得る、ｅＮＢ−ＮＲＴメッセージであり得る。
【０１２３】
ゲートウェイ７２９上に常駐する中央ユニット７４６は、ｅＮＢ  Ａ７１８ａからＮＲＴ７１９を受信し得る。これは、中央ユニットインターフェースを使用して行われ得る。ＮＲＴメッセージ７１９がｅＮＢ−ＮＲＴメッセージである場合、中央ユニット７４６は、そこに含まれる個々のＮＲＴメッセージを復号および／またはデマッピングし得る。中央ユニット７４６は、セル／セクタ７１７のための（たとえば、ｅＮＢ  Ａ７１８ａのための）クラスタリングを判断するために、ＮＲＴメッセージ７１９を使用し得る。たとえば、中央ユニット７４６は、１つまたは複数のｅＮＢ７１８についての１つまたは複数のクラスタ識別子（たとえば、ＣＬＩ）を判断するために、クラスタ判断ブロック／モジュール７５２を使用し得る。たとえば、中央ユニット７４６が、セル／セクタＣ７１７ｃおよびセル／セクタＤ７１７ｄがクラスタリングされるべきであると判断すると仮定する。中央ユニット７４６は、この情報を示すクラスタ識別子を生成し得る。
【０１２４】
いくつかの構成では、中央ユニット（ＣＵ）７４６は、代替的にオペレーションおよびメンテナンス（ＯＡＭ）機能ブロック中に（たとえば、ネットワーク管理ブロックまたはネットワークマネージャ（ＮＭ）中に）位置し得ることに留意されたい。たとえば、ＯＡＭ機能ブロック／モジュール（図７に図示せず）は、ｅＮＢ７１８および／またはゲートウェイ７２９とは別に位置し得る。ＯＡＭ機能ブロック／モジュールは、ネットワーク管理ブロック／モジュールまたはネットワークマネージャを含み得る。ＣＵ７４６は、ＯＡＭ機能ブロック／モジュールおよび／またはネットワーク管理ブロック／モジュールまたはネットワークマネージャ（ＮＭ）中に含まれ得る。ＯＡＭ機能ブロック／モジュールおよび／またはネットワークマネージャはＬｏｎｇ  Ｔｅｒｍ  Ｅｖｏｌｕｔｉｏｎ（ＬＴＥ）仕様に従って構成され得ることに留意されたい。たとえば、ｅＮＢ７１８は、Ｎインターフェース（Ｉｔｆ−Ｎ）（および／またはドメイン管理／要素管理（ＤＭ／ＥＭ）ブロック／モジュールが使用される場合、Ｓインターフェース（Ｉｔｆ−Ｓ））を使用して、ＯＡＭおよび／またはＮＭと通信し得る。
【０１２５】
一例では、ネットワーク管理ブロック／モジュールまたはネットワークマネージャ（ＮＭ）は、ＯＡＭ機能ブロック／モジュールの制御エンティティであり得る。ＮＭはネットワークを管理し得る（また、使用される場合、要素管理（ＥＭ）によってサポートされ得る）。ドメイン管理／要素管理（ＤＭ／ＥＭ）ブロック／モジュールは、サブネットワークに管理機能（たとえば、要素およびドメイン管理機能）を与え得る。ＤＭ／ＥＭブロック／モジュールが使用される場合、ＤＭ／ＥＭブロック／モジュールはｅＮＢ７１８とＯＡＭとの間の通信を中継し得る。Ｉｔｆ−Ｎは、ｅＮＢ７１８とＯＡＭとの間、および／またはＤＭ／ＥＭとＯＡＭ（たとえば、ＮＭ）との間に通信接続を与え得る。場合によっては、ｅＮＢ７１８とＤＭ／ＥＭとの間に（プロプライエタリ）接続を与えるためにＩｔｆ−Ｓが使用され得る。
【０１２６】
中央ユニット７４６は、ＣＬＩメッセージ７２７中で１つまたは複数のクラスタ識別子をｅＮＢ  Ａ７１８ａに送信し得る。いくつかの構成では、ＣＬＩメッセージ７２７は、ｅＮＢ７１８に対応するセル／セクタ７１７の各々についてのクラスタインジケータを含み得る、ｅＮＢ−ＣＬＩメッセージを備え得る。たとえば、中央ユニット７４６は、セル／セクタＡ〜Ｃ  ７１７ａ〜ｃに対応するクラスタインジケータをｅＮＢ−ＣＬＩメッセージ７２７に符号化およびマッピングし得、中央ユニット７４６はｅＮＢ−ＣＬＩメッセージ７２７をｅＮＢ  Ａ７１８ａに送信し得る。この送信は、中央ユニットインターフェースを使用して達成され得る。一構成では、中央ユニットインターフェースは、ゲートウェイ７２９上のＳ１インターフェース内に含まれ得る。
【０１２７】
ｅＮＢ  Ａ７１８ａは、ＣＬＩメッセージ７２７を受信し得る。ＣＬＩメッセージ７２７がｅＮＢ−ＣＬＩメッセージ７２７である場合、ｅＮＢ  Ａ７１８ａはｅＮＢ−ＣＬＩメッセージを復号および／またはデマッピングし得る。ＣＬＩメッセージ７２７は、１つまたは複数のクラスタ識別子を含み得る。たとえば、クラスタ識別子が、セル／セクタＣ７１７ｃおよびセル／セクタＤ７１７ｄがクラスタリングされるべきであることを示すと仮定する。ｅＮＢ  Ａ７１８ａは、ＵＥ  Ａ７０２ａとの通信を協調させるために情報をｅＮＢ  Ｂ７１８ｂと通信し得る。ｅＮＢ  Ａ７１８ａは、ｅＮＢ  Ｂ７１８ｂと通信するためにＸ２インターフェースを使用し得る。
【０１２８】
ｅＮＢ  Ｂ７１８ｂおよびｅＮＢ  Ｃ７１８ｃがクラスタリングのための同様のプロシージャに従い得ることに留意されたい。たとえば、ｅＮＢ  Ｂ７１８ｂおよび／またはｅＮＢ  Ｃ７１８ｃは、セル／セクタＦ７１７ｆおよびセル／セクタＧ７１７ｇをクラスタリングするために中央ユニット７４６と通信し得る。ｅＮＢ  Ｂ７１８ｂおよびｅＮＢ  Ｃ７１８ｃはさらに、ＵＥ  Ｂ７０２ｂとの通信を協調させるために互いと通信し得る。
【０１２９】
図８は、ネイバーリレーションを使用してセルをクラスタリングするための方法８００の一構成を示す流れ図である。８０２において、ｅＮＢ６１８は、１つまたは複数のＵＥ６０２から１つまたは複数のターゲットセル識別子（ＴＣＩ）６０８（たとえば、ＥＣＧＩ、ＣＧＩ、ＰＣＩおよび／または他のセル識別子）を受信する。たとえば、ＴＣＩ６０８は、ＵＥ６０２が検出することが可能である１つまたは複数のセル／セクタを示し得る。いくつかの構成では、ｅＮＢ６１８は、最初に、ＴＣＩ６０８を要求する命令を１つまたは複数のＵＥ６０２に送り得ることに留意されたい。
【０１３０】
８０４において、ｅＮＢ６１８は、１つまたは複数のＴＣＩ６３２に基づいてネイバーリレーションテーブル（ＮＲＴ）６３０を生成する。一構成では、ネイバーリレーションテーブル６３０は、ＴＣＩ６３２などの情報と、示されたセル／セクタに関連する情報とを含む。ネイバーリレーションテーブル６３０は、１つまたは複数のＵＥ６０２から受信した情報、および／またはｅＮＢ６１８が（受信した情報に基づいて）生成した情報を含み得ることに留意されたい。
【０１３１】
８０６において、ｅＮＢ６１８は、ＮＲＴ６３０に基づくネイバーリレーションテーブル（ＮＲＴ）メッセージ６０１を中央ユニット６４６に送信する。たとえば、ネイバーリレーションメッセージは、ＮＲＴ６３０全体、ＮＲＴ６３０の一部、および／またはＮＲＴ６３０に基づく何らかの他の情報を含み得る。たとえば、ＮＲＴメッセージ６０１は、ＴＣＩ６３２のリストを含み得る。
【０１３２】
８０８において、ｅＮＢ６１８は、中央ユニット６４６から１つまたは複数のクラスタ識別子（たとえば、ＣＬＩ）６４０を受信する。クラスタ情報６４０は、どのセル／セクタがクラスタリングされるべきかを示し得る。たとえば、クラスタ情報６４０は、１つまたは複数のＵＥ６０２と通信するために、どのｅＮＢ６１８が互いに協調すべきかを示し得る。したがって、ｅＮＢ６１８は、１つまたは複数のＵＥ６０２との通信を協調させるために、別のｅＮＢ６１８と通信し得る。一構成では、ｅＮＢ６１８とＵＥ６０２との間で通信を協調させることは、多地点協働（ＣｏＭＰ）通信と呼ばれることがある。
【０１３３】
８１０において、ｅＮＢ６１８は、１つまたは複数のクラスタ識別子６４０に基づいて１つまたは複数の他のｅＮＢ６１８と通信する。たとえば、ｅＮＢ６１８は、ＵＥ６０２との通信を協調させるために、別のｅＮＢ６１８との間で情報を送り、および／または情報を受信し得る。一構成では、この通信は、８１０において、Ｘ２インターフェース６８８を使用して行われ得る。両方のｅＮＢ６１８がＵＥ６０２と通信し得るように、他のｅＮＢ６１８と通信される情報はスケジューリング情報を含み得る。
【０１３４】
８１２において、ｅＮＢ６１８は、クラスタ情報６４０に基づいて１つまたは複数のＵＥ６０２と通信する。たとえば、ｅＮＢ６１８は、クラスタ情報６４０に基づいてＵＥ６０２との間で情報を送信し、および／または情報を受信し得る。たとえば、ＵＥ６０２が、２つのｅＮＢ６１８と通信することができ、ｅＮＢ６１８が、クラスタリングされたセル／セクタを与える場合、一方のｅＮＢ６１８が（クラスタリングされたセル／セクタをもつ）他方のｅＮＢ６１８と協調するように、一方のｅＮＢ６１８はＵＥ６０２と通信し得る。
【０１３５】
図９は、ネイバーリレーションを使用してセルをクラスタリングするための方法９００の別の構成を示す流れ図である。９０２において、ｅＮＢ６１８は、１つまたは複数のＵＥ６０２から１つまたは複数のターゲットセル識別子（ＴＣＩ）６０８を受信する。たとえば、１つまたは複数のＴＣＩ６０８は、ＵＥ６０２が検出することが可能である１つまたは複数のセル／セクタを示し得る。いくつかの構成では、ｅＮＢ６１８は、最初に、ＵＥ６０２に１つまたは複数のＴＣＩ６０８を取得するように命令する命令を１つまたは複数のＵＥ６０２に送り得ることに留意されたい。
【０１３６】
９０４において、ｅＮＢ６１８は他の情報６１０を受信する。たとえば、９０４において、ｅＮＢ６１８は、１つまたは複数のＵＥ６０２から他の情報６１０を受信し得る。一構成では、他の情報６１０は、通信状態に関する情報、ＵＥ識別子（たとえば、ＵＥ  ＩＤ）６７６および／または他の情報を含み得る。たとえば、他の情報６１０は、基準信号受信電力（ＲＳＲＰ）６７８、（１つまたは複数の）チャネル品質インジケータ（ＣＱＩ）６８０、ユーザ機器識別子（ＵＥ  ＩＤ）６７６および／または他の情報を含み得る。
【０１３７】
９０６において、ｅＮＢ６１８は、１つまたは複数のＴＣＩ６３２に基づいてネイバーリレーションテーブル（ＮＲＴ）６３０を生成する。一構成では、ネイバーリレーションテーブル６３０は、ＴＣＩ６３２などの情報と、それらのセル／セクタに関連する情報とを含む。ネイバーリレーションテーブル（ＮＲＴ）６３０は、１つまたは複数のＵＥ６０２から受信した情報、および／またはｅＮＢ６１８が（受信した情報に基づいて）生成した情報を含み得ることに留意されたい。
【０１３８】
９０８において、ｅＮＢ６１８は、他の情報６１０に基づいてＮＲＴ６３０中に拡張情報６３４を生成する。一構成では、ｅＮＢ６１８は、１つまたは複数のＵＥ識別子６７６、チャネル状態に関する情報などの受信した情報をネイバーリレーションテーブル６３０に追加する。たとえば、ｅＮＢ６１８は、１つまたは複数のユーザ機器識別子（ＵＥ  ＩＤ）６７６、チャネル品質インジケータ（ＣＱＩ）６８０および／または基準信号受信電力（ＲＳＲＰ）測定値６７８などを追加し得る。ｅＮＢ６１８は、追加または代替として、ネイバーリレーションテーブル６３０中に示されるセル／セクタについてのランクまたはランキング６８２を生成し得る。たとえば、ｅＮＢ６１８は、チャネル状態情報に基づいてネイバーリレーションテーブル６３０中でセル／セクタをランク付けし得る。一構成では、ランキング６８２を生成することは、特定の位置（たとえば、テーブルの上部）により高くランク付けされたセル／セクタをもつネイバーリレーションテーブル６３０をソートすることを伴い得る。別の構成では、ｅＮＢ６１８は、ネイバーリレーションテーブル６３０中に含められ得る数値ランキング６８２を生成し得る。
【０１３９】
９１０において、ｅＮＢ６１８は、ネイバーリレーションテーブル６３０に基づくネイバーリレーションテーブル（ＮＲＴ）メッセージ６０１を中央ユニット６４６に送信する。たとえば、ネイバーリレーションメッセージ６０１は、ネイバーリレーションテーブル６３０全体、ネイバーリレーションテーブル６３０の一部、および／またはネイバーリレーションテーブル６３０に基づく何らかの他の情報を含み得る。たとえば、ネイバーリレーションメッセージ６０１は、ＴＣＩ６３２のリストを含み得る。ランキング６８２は、たとえば、セル／セクタのリストがネイバーリレーションテーブル６３０中に配置され、および／またはネイバーリレーションメッセージ６０１中に配置される順序によって暗黙的に示され得ることに留意されたい。いくつかの構成では、ｅＮＢ６１８からのセルに対応するネイバーリレーションメッセージ６０１の各々は、メッセージ（たとえば、ｅＮＢ−ＮＲＴメッセージ６１３）に符号化および／またはマッピングされ得る。
【０１４０】
９１２において、ｅＮＢ６１８は、中央ユニット６４６から１つまたは複数のクラスタ識別子６４０を受信する。１つまたは複数のクラスタ識別子６４０は、どのセル／セクタがクラスタリングされるべきかを示し得る。たとえば、クラスタ識別子６４０は、１つまたは複数のＵＥ６０２と通信するために、どのｅＮＢ６１８が互いに協調すべきかを示し得る。いくつかの構成では、ｅＮＢ６１８は、ｅＮＢ６１８のセル／セクタの各々に対応するクラスタ識別子メッセージ６０３を復号および／またはデマッピングし得る。
【０１４１】
９１４において、ｅＮＢ６１８は、１つまたは複数のクラスタ識別子６４０に基づいて１つまたは複数の他のｅＮＢ６１８と通信する。これは、１つまたは複数のＵＥ６０２との通信を協調させるために行われ得る。たとえば、９１４において、ｅＮＢ６１８は、２つのｅＮＢ６１８のセル／セクタのクラスタ中にあるＵＥ６０２と通信するために、スケジューリング情報を別のｅＮＢ６１８と通信し得る。一構成では、ｅＮＢ６１８とＵＥ６０２との間で通信を協調させることは、多地点協働（ＣｏＭＰ）通信と呼ばれることがある。
【０１４２】
９１６において、ｅＮＢ６１８は、１つまたは複数のクラスタ識別子６４０に基づいて１つまたは複数のＵＥ６０２と通信する。たとえば、ｅＮＢ６１８は、クラスタ情報６４０に基づいてＵＥ６０２との間で情報を送信し、および／または情報を受信し得る。たとえば、ＵＥ６０２が、２つのｅＮＢ６１８と通信することができ、ｅＮＢ６１８が、クラスタリングされたセル／セクタを与える場合、９１６において、一方のｅＮＢ６１８が（クラスタリングされたセル／セクタをもつ）他方のｅＮＢ６１８と協調するように、一方のｅＮＢ６１８はＵＥ６０２と通信し得る。
【０１４３】
図１０は、ネイバーリレーションを使用してセルをクラスタリングするための方法１０００の別の構成を示す流れ図である。１００２において、中央ユニット６４６は、１つまたは複数のｅＮＢ６１８から１つまたは複数のネイバーリレーションテーブル（ＮＲＴ）メッセージ６０１を受信する。一構成では、中央ユニット６４６は、Ｓ１インターフェース６９８および／またはオーバージエア（ＯＴＡ）シグナリング６０５を使用して、１つまたは複数のネイバーリレーションテーブル（ＮＲＴ）メッセージ６１０を受信する。中央ユニット６４６は、追加または代替として、１つまたは複数のｅＮＢ６１８との間で情報を送信／受信するために中央ユニットインターフェース６１１を使用し得る。たとえば、１００２において、通信ブロック／モジュール６４８は１つまたは複数のネイバーリレーションテーブル（ＮＲＴ）メッセージ６０１を受信し得、ネイバーリレーションテーブル（ＮＲＴ）メッセージ６０１はクラスタ判断ブロック／モジュール６５２に与えられ得る。いくつかの構成では、中央ユニット６４６は、ｅＮＢ６１８に対応するセル／セクタの各々について、ＮＲＴメッセージ６０１をもつメッセージ（たとえば、ｅＮＢ−ＮＲＴメッセージ６１３）を１００２において受信し、復号および／またはデマッピングし得る。
【０１４４】
１００４において、中央ユニット６４６は、１つまたは複数のネイバーリレーションテーブル（ＮＲＴ）メッセージ６０１（および／またはｅＮＢ−ＮＲＴメッセージ６１３）に基づいて、１つまたは複数のクラスタ識別子６５６を生成する。ネイバーリレーションメッセージ６０１（および／またはｅＮＢ−ＮＲＴメッセージ６１３）は、セル情報６３２および／または拡張情報６３４に基づき得ることに留意されたい。たとえば、ネイバーリレーションテーブル（ＮＲＴ）メッセージ６０１は、ＴＣＩ６３２、ＵＥ識別子６７６、チャネル状態情報、ランクまたはランキング６８２、および／あるいは他の情報などの情報を含み得る。一構成では、１００４において、中央ユニット６４６は、セル／セクタ識別子（たとえば、ＴＣＩ６３２）のみに基づいて１つまたは複数のクラスタ識別子６５６を生成し得る。他の構成では、中央ユニット６４６は、１００４において１つまたは複数のクラスタ識別子６５６を生成するために追加または代替の情報を使用し得る。たとえば、中央ユニット６４６は、ＴＣＩ６３２、ＵＥ識別子（たとえば、ＵＥ  ＩＤ）６７６、チャネル状態情報（たとえば、ＲＳＲＰ６７８および／またはＣＱＩ６８０など）、ランクまたはランキング６８２、および／あるいは他の情報を使用し得る。クラスタ情報６５６は、どのセル／セクタがクラスタリングされるべきか（たとえば、どのｅＮＢ６１８が、１つまたは複数のＵＥ６０２と通信する際に協働すべきか）を示し得る。
【０１４５】
１００６において、中央ユニット６４６は、１つまたは複数のクラスタ識別子６５６を１つまたは複数のｅＮＢ６１８に送信する。たとえば、中央ユニット６４６は、１つまたは複数のクラスタ識別子６５６を含むクラスタメッセージ６０３を１つまたは複数のｅＮＢ６１８に送信し得る。いくつかの構成では、ｅＮＢ６１８は、ｅＮＢ６１８の各セル／セクタについてのクラスタ識別子６５６を、１００６において送信されるメッセージ（たとえば、ｅＮＢ−ＣＬＩメッセージ６１５）に符号化および／またはマッピングし得る。いくつかの構成では、送信されるクラスタ識別子６５６は、ｅＮＢ６１８ごとに異なり得る。たとえば、中央ユニット６４６は、特定のｅＮＢ６１８に有用なクラスタ識別子６５６のみを送信し得る。より詳細には、中央ユニット６４６は、ｅＮＢ６１８が制御するかまたは与えるそれらのセル／セクタに関係するクラスタリングに関するクラスタ識別子６５６のみをｅＮＢ６１８に送信し得る。別の構成では、中央ユニット６４６は、同じクラスタ識別子６５６（たとえば、同じＣＬＩメッセージ６０３）を（たとえば、上部クラスタ中の）ｅＮＢ６１８のすべてに（広域的に）送信し得る。
【０１４６】
本明細書で開示するシステムおよび方法のより詳細な例を以下に与える。本明細書のシステムおよび方法は、多地点協働送信のための自己組織化適応クラスタリングを可能にし得る。多地点協調（ＣｏＭＰ）通信を使用することは、（たとえば、セルエッジにある）弱い無線状態において干渉を低減し、ユーザ機器（ＵＥ）６０２の信号対干渉雑音比（ＳＩＮＲ）を増大させるために、セルの協働によってセルラーワイヤレスシステム（たとえば、ＬＴＥ  Ａｄｖａｎｃｅｄ）の性能を改善する１つの方法である。大きいシステムアーキテクチャ修正を回避しながら全体的なシステム性能を最大にするために、ＵＥ６０２知覚信号強度に対してＣｏＭＰシステムの協働セットを動的に調整するための適応クラスタリングアルゴリズムの一例を本明細書で与える。上限ＵＥ固有方式（upper bound UE-specific scheme）から遠からず実行する実際的な適応ＣｏＭＰクラスタリング方式の場合、システムの複雑さの増大が限られた非ＵＥアウェア固定クラスタリングと比較して、ＳＩＮＲのさらなる利得が達成され得る。
【０１４７】
多地点協調（ＣｏＭＰ）通信は、ＬＴＥ−Ａｄｖａｎｃｅｄ（ＬＴＥ−Ａ）３ＧＰＰシステムに適用され得る、スペクトル効率およびセルエッジスループットを著しく向上させる技法である。それは、弱い無線状態におけるＵＥ６０２のＳＩＮＲを改善し、それによって干渉を低減するために、異なるセル間でダウンリンク送信を協調させる原理に基づく。ＣｏＭＰ通信は、基地局（たとえば、ｅＮＢ６１８）間協働の場合、エアインターフェースおよびバックホール上のさらなるシグナリングオーバーヘッドを必要とし得る。
【０１４８】
実際には、オーバーヘッドを管理しやすく保つために、限られた数の基地局（たとえば、ｅＮＢ６１８）のみが協働し得る。これは、ＣｏＭＰの利点を限られた複雑さで効率的に活用するために、基地局（たとえば、ｅＮＢ６１８）が互いに協働し、クラスタを形成するという問題を提起する。主に、クラスタリングは、静的クラスタリングアルゴリズムと動的クラスタリングアルゴリズムとの間で区別され得る。静的クラスタは、通常、経時的に一定に保たれ、基地局の位置のような地理的基準に基づいて構築される。動的クラスタリングの場合、システムは、ユーザ機器（ＵＥ６０２）の位置および無線周波数（ＲＦ）の状態などの変化する制約に絶えず適応することができる。これは、クラスタの適応が基づくべき情報に問題を課する。実際のＬＴＥ−Ａシステムでは、動的クラスタアルゴリズムに対する主要な要件は、それが、３ＧＰＰ仕様に記載されているＬＴＥの無線アクセスおよび／またはコアネットワークのアーキテクチャに適合することである。３ＧＰＰ規格は、ネットワークの自動構成および最適化をサポートするために、自己組織化概念のためのフレームワークをすでに提供している。本明細書で開示するシステムおよび方法は、適応移動局（たとえば、ＵＥ６０２）アウェアクラスタリングにおいて使用され得る。この例は、それが既存のネットワークアーキテクチャおよびＬＴＥの自己組織化ネットワーク（ＳＯＮ）概念にどのように統合され得るかを示している。
【０１４９】
この例は、次のように構成される。提示された最適化問題およびアルゴリズムの適応クラスタリング概念および詳細を提示する。次いで、分析された事例についてのシミュレーションシナリオおよびシミュレーション結果を提示する。最後に、例を要約する。
【０１５０】
多地点協働（ＣｏＭＰ）のための適応クラスタリングは、より良いＣｏＭＰ性能を達成するために、知覚無線環境およびユーザロケーションの変動をキャプチャする能力をシステムに与える。実際は、ワイヤレスチャネルの時変特性、システムローディングの変動およびユーザのモビリティのために、そのような状態に適応することが可能なクラスタリングアルゴリズムは、システムの観点から、ＣｏＭＰが静的クラスタリング手法よりもうまく機能することを可能にするであろうことが予想される。静的クラスタリング手法では、すべての協働セットは、近接度情報とネットワークプランニング予測とに基づいて事前定義される。
【０１５１】
たとえば、多地点協働（ＣｏＭＰ）機能が利用可能であるマクロエリア（たとえば、「上部クラスタ」）中のセル（たとえば、「サービングセル」または「ｓｃｅｌｌ」）によってサービスされるＣｏＭＰ対応ＵＥ６０２のグループについて考える。これらのＵＥ６０２は無線品質測定値をサービングセル（ｓｃｅｌｌ）に報告し、サービングセルは、それによって、多地点協働（ＣｏＭＰ）クラスタリング目的のために無線周波数（ＲＦ）測定値の統計を収集し、さらにそれらをエラボレート（elaborate）することができる。ＵＥ６０２入力を収集するための１つのオプションは、既存の測定値を利用することである。たとえば、ＵＥ６０２によって測定されたセルの平均基準信号受信電力（ＲＳＲＰ）６６８に関して、測定報告メッセージ（ＭＲＭ）からデータを抽出する。
【０１５２】
一般的なＵＥ６０２報告について考えると、測定されるセルのリストは、ｊ番目のセットＳj＝｛セル１，セル２，．．．，セルｋ｝として識別され得、たとえば、ある構成可能なしきい値よりも強いセルのみが、セットを形成するものとみなされ、任意の順序で報告される。サービングセル（ｓｃｅｌｌ）は、選択された観測期間にわたって異なる端末（たとえば、ＵＥ６０２）からそのような報告されたセットのいくつかを収集し、報告された無線状態の統計的特性としてそれらを要約する。各サービングセルにおいて、報告された情報はペア［Ｓj，Ｎj］のリストによって表され得、Ｎj≧１は、セットＳjが観測期間中にすべての報告するＵＥ６０２によって報告された回数である。［Ｓj，Ｎj］の背後にある考えは、極めて頻繁に観測されたセル組合せが、多地点協働（ＣｏＭＰ）方式が採用されたときに数人のユーザに対してシステム性能を改善するより高い可能性を与えることである。この情報は、最終的に、当該の上部クラスタに関連する多地点協働（ＣｏＭＰ）中央ユニット６４６中に収集され、それは、事前定義された目標を最適化することによる適応方法でセルクラスタを計算する。各観測期間において、情報は、中央ユニット６４６において収集され、最適化アルゴリズムに受け渡され、最適化アルゴリズムは、セルクラスタリングを適応させ、上部クラスタ中のすべての基地局（たとえば、ｅＮＢ６１８）に新しいセットを逆に再配信する。
【０１５３】
ＬＴＥシステムアーキテクチャでは、中央ユニット６４６は、ＬＴＥシステムのオペレーションおよびメンテナンス（ＯＡＭ）機能の自己組織化ネットワーク（ＳＯＮ）サーバ中にあり得る。ＬＴＥシステムの自己組織化ネットワーク（ＳＯＮ）自動ネイバーリレーション（ＡＮＲ）概念は、適応クラスタリングをもサポートするように拡張され得る。
【０１５４】
この概念の有効性を証明するために、最適化問題は、古典的な線形プログラミング表記法を用いて形式化され得る。Ｇ（Ｖ，Ｅ）を、多地点協働（ＣｏＭＰ）上部クラスタに関連する頂点Ｖと辺Ｅとによって記述されるグラフとし、頂点はセルｖ⊆Ｖに写像され、辺ｅ⊆Ｅは、それらの間で（たとえば、Ｘ２インターフェース６８８を介して）確立された相互接続に写像される。γjを、Ｇ中のすべての可能なセットΓGのうち、上部クラスタ中のセルの一般的なセットとする。各セットγjに対して、関連するコストｃjおよび基数ｋj（たとえば、セットに属するセルの数）がある。セットγjは、Ｋmin≦ｋj≦Ｋmaxである場合のみ、最適化問題の最終解に認められ、認められたクラスタの最小および最大次元がパラメータ化される。上部クラスタＧについてのすべての認められたセットをＲG∈ΓGで表すと、式（１）および式（２）に示すように定義される特性行列Ａと決定変数ｘjとを導入することが可能である。
【数１】
2013530637.tif 000005
【０１５５】
式（１）は、セットがどのように構成されるかを証明しているが、式（２）は、どんなセットが最終解に属するかを証明する。ａkjは特性行列Ａの要素である。その場合、最適化問題は、式（３）、式（４）および式（５）において示されるように記述され得る。
【数２】
2013530637.tif 000006
【０１５６】
式（３）は、式（４）に示した少なくとも１つの多地点協働（ＣｏＭＰ）クラスタに属する上部クラスタ中の各セルを有すること、および式（５）に示したように解が整数であることを課することという制約条件下で、全体的なコストを最小限に抑えるという最適化目標をキャプチャする。
【０１５７】
この最適化問題は、解決することが一般に困難である組合せ最適化問題のクラスをカバーする既知のセット、および組合せ最適化問題のクラスを区分するセットに属する。制約条件はまた、たとえば、独立クラスタ（disjoint cluster）に対して式（４）における等号を課することによって、またはすべてのクラスタの等しいサイズに対してＫmin＝Ｋmaxを課することによって、さらに改良され得る。
【０１５８】
適切な最適化問題を定義するための主要なファクタのうちの１つは、コスト関数ｃjの選択である。多地点協働（ＣｏＭＰ）機能を見ると、コストを、クラスタ基数ｋjまたは必要とされるＸ２インターフェースの数に比例させ（大きいクラスタはシステム複雑さを増大させる）、クラスタセルの複合無線状態（combined radio condition）に反比例させる（より良い無線状態はより高い性能を意味する）ことによって、システム複雑さと性能との間のトレードオフが選択され得る。
【０１５９】
あるクラスタＳjによって利益を得るユーザ端末の数を考慮するために、Ｎjに反比例する項（Ｎjが大きければ大きいほど、多地点協働（ＣｏＭＰ）から利益を得るユーザの数は多くなり、したがって、コストｃjは小さくなる）は、式（６）に示すように追加される。Ｎj≧１は、セットＳjが期間Ｔ中にすべての報告するＵＥ６０２によって報告されたことの回数である。
【数３】
2013530637.tif 000007
【０１６０】
式（６）において、ＲＳＲＰkは、セルｋの全体的な報告された測定値の線形単位での平均であり、和は、セットγjの複合無線状態を、そのクラスタの潜在的な多地点協働（ＣｏＭＰ）性能の推定値としてキャプチャする。式（６）に示したコスト関数は、上記のヒューリスティック考慮事項に基づいた例である。このコスト関数を、以下で説明するシミュレーション解析において使用した。
【０１６１】
上記の最適化問題を解決するために、異なる技法が探求され得る。ここで使用する１つの手法は、以下のステップを備える技法である。第１に、基数制約条件に従ってすべての認められたセットγj∈ＲGを網羅的な方法で生成する。これは、計算量として可能であり、計算量は、セルおよびネイバーリレーションの数とともに指数関数的に増大し、数個のセルに限定されたＫmaxをもつ３０〜４０個のセルの上部クラスタについての実際的事例では小さいままである。第２に、式（６）に従って各セットγjにそれのコストｃjを関連付ける。第３に、すべてのセルが最終解中に含まれるか、または利用可能な候補セットがそれ以上なくなるまで、コストが増加する順にセットを追加することによって初期最適化解を作成する。各ステップにおいて、解にすでに入れられたセットと重複するセットが、候補リストから削除され得るので、独立セット（セット区分）の場合、変更バージョンが必要とされ得る。すべてのセルがカバーされたか、または候補リストが空になったとき、プロセスは停止する。第４には、２つの（またはそれより多い）セットを、そのコストが、交換されるセットのコストの和よりも低い、含まれていないセットとステップワイズに交換することによって解を改善する。初期解が、コストが増加する順にセットを選択して構築されたとき、これは、全体的なコストを減少させるための１つの方法である。
【０１６２】
適応クラスタリング原理の性能を評価するために、６角形ネットワークレイアウトを採用してシステムレベルのシミュレーションを実行した。３ＧＰＰ基準ネットワークレイアウトを、５００メートル（ｍ）サイト間距離の１９個の３セクタサイトで構成した。５７個のセクタの各々は、１５度のダウンティルトの２つのアンテナを装備した。２ギガヘルツ（ＧＨｚ）帯域における３ＧＰＰ仕様において定義されている典型的な３ＧＰＰ都市型マクロ空間チャネルモデルをそれの拡張バージョンにおいて使用した。中心サイトから開始し、各ティアとともに増加する反時計回りで、セクタを０から５６まで番号付けした。１００個のＵＥのうちのいくつかを、４つのホットスポットエリアの各々の内のランダムロケーションに配置した。３ｋｍ／ｈの速度で移動する２つのアンテナを用いてＵＥをシミュレートした。５メガヘルツ（ＭＨｚ）の信号帯域幅を使用し、セクタ当たりの最大送信電力を、５ＭＨｚ当たり１ミリワット（ｄＢｍ）を基準にされる４３デシベルに設定した。
【０１６３】
適用されたクラスタリングアルゴリズムのシミュレーション結果を得、クラスタリングアルゴリズムを、２ｄＢのシャドーフェージング標準偏差を使用する最高３つのセクタをもつクラスタの独立セットに対する最適解を得るように構成した。２つの円形タイプのＵＥホットスポットの場合、３つの異なるサイトからの最も近接した３つのセクタを選択した。他の２つのラインタイプのホットスポットの場合、エリアの中央の地理的に最も近接した３つのセクタと、（各々が異なるサイトに属する）隣接するセクタとを選択した。
【０１６４】
適応クラスタリングアルゴリズムの性能を査定するために、計算されたクラスタセットを用いてネットワークシミュレーションを実行した。適応クラスタリングアルゴリズムの性能を評価するメトリックとして、ジオメトリの改善を選定した。多地点協働（ＣｏＭＰ）クラスタγによってサービスされるＵＥのジオメトリは、式（７）に示したＬＴＥのような直交周波数分割多重（ＯＦＤＭ）ベースシステムにおける広帯域ＳＩＮＲとして計算され得る。
【数４】
2013530637.tif 000008
【０１６５】
式（７）はＳＩＮＲを示し、Ｐi,kは、セルｋからのＵＥiの（線形単位で表される）受信電力であり、σ2は雑音分散である（ただし、ｉはＵＥの番号またはインデックスである）。式（７）において、Ｖは、上部クラスタ中のすべてのセルのセットである。Ｖ＼γは、セルクラスタγに属さないすべてのセルのセットである。受信電力Ｐi,kは、影響が弱まることがない長期平均値である。モバイルが現在複数のセルからサービスされており、それに応じて、干渉が低減されるので、クラスタγ中で適用される多地点協働（ＣｏＭＰ）が、ＬＴＥ  Ｒｅｌｅａｓｅ  ８と比較してジオメトリを改善することは、式（７）からわかる。
【０１６６】
ＵＥが１つのセルのみによってサービスされる場合、２および８デシベル（ｄＢ）シャドーフェージング標準偏差を使用して計算された多地点協働（ＣｏＭＰ）クラスタのために得られたＵＥジオメトリの累積密度関数（ＣＤＦ）を、対応するジオメトリと比較する。８ｄＢ標準偏差を用いたシャドーフェージングは、屋外シナリオのデフォルト値を表すが、標準偏差２ｄＢは屋内シナリオのために選択される。観測されたジオメトリの５０％の場合、ＣｏＭＰクラスタリングアルゴリズムが６ｄＢのより良好なジオメトリ環境を生じたことがわかった。
【０１６７】
累積密度関数（ＣＤＦ）はすべてのＵＥのジオメトリ統計を示し得るが、曲線は、個々のＵＥによって知覚される有効改善（すなわち、ネットワーク中のまったく同じ位置のＵＥが経験するであろう改善）を反映しないことがある。
【０１６８】
個々のＵＥによって観測されたジオメトリ利得（すなわち、ネットワーク中のまったく同じ位置にあるＵＥから見たジオメトリ差の分布統計）の累積密度関数（ＣＤＦ）を計算した。結果は、８ｄＢシャドーフェージング標準偏差を用いた屋外事例の場合、上記で説明した多地点協働（ＣｏＭＰ）クラスタは、個々のＵＥについて中央ジオメトリ改善３．５ｄＢを達成したが、屋内事例の場合、低減された標準偏差２ｄＢは、さらに高い中央利得５．７ｄＢにつながることを示した。
【０１６９】
事前定義された（固定）ネットワーククラスタと比較して適応クラスタリングアルゴリズムの１つの複雑さの側面は、ネットワーク中のさらなる制御エンティティと、クラスタの良好なセットを推定するための増加したシグナリングオーバーヘッドとの必要性である。そのようなさらなる消費は、固定クラスタリングと比較して利得が達成され得る場合のみ正当化され得る。適応アルゴリズムの性能改善を評価するために、シミュレーションを実行し、結果を固定クラスタと比較した。
【０１７０】
固定クラスタの選択は、経験的近接度レイアウト考慮事項に基づいて行われ、クラスタの各セクタは異なるサイトに属する。マクロクラスタのボーダーにおいてセクタを割り当てるためにラップアラウンド機構を使用した。結果は、無線チャネルアウェア適応クラスタリングを使用して、８ｄＢ（２ｄＢ）シャドーフェージング標準偏差の場合、それぞれ、ＵＥの３２％（６０％）が性能改善を経験し、６６％（３０％）がジオメトリ利得に関して同じ性能を経験することを示した。
【０１７１】
ＵＥの大部分のための性能を最適化するために、適応ＣｏＭＰクラスタリングのための最適化アルゴリズムは、観測されるすべてのＵＥを考慮し、所与の制約条件（たとえば、クラスタ当たりのセクタの数、独立セットなど）下でクラスタのセットを選択する。しかしながら、いくつかのＵＥは、それらのロケーションおよびシャドーフェージングの標準偏差に応じた異なるクラスタセット選択と比較した場合、改善を経験しないことがある。これにより、同じクラスタに属さないセクタ間のエリア中にあるＵＥは、影響を及ぼされ得る。
【０１７２】
クラスタ選択がＵＥごとに別々に行われないという意味において、提示された適応クラスタリングアルゴリズムはＵＥアウェアであるが、ＵＥ固有でない。他方、クラスタがＵＥごとに個々に選択されるとすぐに、最適利得は達成可能であるべきである。しかしながら、これには、クラスタリングがＵＥごとに別々に制御される必要があるという欠点が伴い、したがって、必要とされるシグナリング量およびシステム全体の複雑さを著しく増大させ、それにより、これは、システム容量に対する影響があるであろう。
【０１７３】
とはいえ、ＵＥアウェア適応クラスタリングの性能損失が最適ＵＥ固有クラスタリングと比較してどれくらい大きいかを調査することは興味深い。この場合も、式（７）において定義されているジオメトリを、パフォーマンスメトリックとして選定した。上記で説明した適応クラスタを、最大セットサイズ３を採用する各個のＵＥについての最適クラスタ選択と比較することによって、可能な性能改善を発見した。シミュレーションに従って、２ｄＢシャドーフェージング事例において、ＵＥの３０％は改善を経験したが、１０％は、３ｄＢを超えるジオメトリ利得を知覚した。８ｄＢシャドーフェージング標準偏差の場合、ＵＥの６４％はより良い性能を享受し、１０％は、５ｄＢジオメトリ利得からも恩恵を受けた。
【０１７４】
提示された結果は、前に提示されたコスト関数に基づいて達成された。調査中に、クラスタ適応は（したがって、性能利得は）コスト関数の変化に非常に敏感であることが判明した。
【０１７５】
シミュレーションのために選定されたアンテナパターンモデルは、強いバックローブ成分を有し、強いバックローブ成分は、セクタのフットプリントに対して大きい影響を有し、したがってクラスタリングに影響を及ぼすことにさらに留意されたい。より現実的なアンテナパターンが考えられ得る。説明すべき別の態様は、空間チャネルモデルにおけるシャドーフェージングのモデリングである。シャドーフェージングは、空間チャネルモデル（ＳＣＭ）において空間的に無相関であるものとしてモデル化される。より現実的なモデルは、距離にわたるシャドーフェージングの相関を考慮に入れ得る。隣り合わせに位置するＵＥが、同じセルからまったく異なる基準信号受信電力（ＲＳＲＰ）値を測定することができるので、この相関の喪失は、提示された結果にも影響を及ぼす。シャドーフェージングの空間相関を考慮に入れると、近接して位置するＵＥがセルの同様のセットＳjを報告する可能性は高くなり、それは、適応クラスタリングアルゴリズムの信頼性を改善するはずである。
【０１７６】
多地点協働（ＣｏＭＰ）のために協働する基地局を識別する適応クラスタリングアルゴリズムを分析した。このアルゴリズムは、ＬＴＥ  Ｒｅｌｅａｓｅ  ８においてすでにサポートされている移動局の無線チャネル測定に基づく。シミュレーションによって性能利得を検証した。結果は、ＬＴＥのための多地点協働（ＣｏＭＰ）の能力を示す、ＬＴＥ  Ｒｅｌｅａｓｅ  ８を介した有意なジオメトリ改善を示した。さらに、適応クラスタリングアルゴリズムを静的クラスタリングと比較した。
【０１７７】
適応クラスタリングの場合、すべての移動局の最高７０％は、協働する基地局（たとえば、ｅＮＢ）のクラスタが地理的情報のみに基づいて静的に定義される事例と比較して本例ではジオメトリ利得を経験した。これは、適応クラスタリングの利益を示している。しかしながら、調査により、適応クラスタリングの性能はコスト関数の選定に敏感であることがわかった。
【０１７８】
図１１は、多入力多出力（ＭＩＭＯ）システム１１００における送信機１１４１および受信機１１６３のブロック図である。送信機１１４１の例は、ワイヤレス通信デバイス１０２、基地局１１８および／または電子デバイス１４６を含み得る。追加または代替として、受信機１１６３の例は、ワイヤレス通信デバイス１０２、基地局１１８および／または電子デバイス１４６を含み得る。送信機１１４１では、いくつかのデータストリームのトラフィックデータがデータソース１１３３から送信（ＴＸ）データプロセッサ１１３５に与えられる。各データストリームは、次いで、それぞれの送信アンテナ１１４９ａ〜ｔを介して送信され得る。送信（ＴＸ）データプロセッサ１１３５は、各データデータストリーム用に選択された特定のコーディング方式に基づいて、データストリームごとにトラフィックデータをフォーマットし、コーディングし、インターリーブして、コード化データを与え得る。
【０１７９】
各データストリームのコード化データは、直交周波数分割多重（ＯＦＤＭ）技法を使用してパイロットデータ（たとえば、基準信号）と多重化され得る。パイロットデータは、既知の方法で処理され、チャネル応答を推定するために受信機１１６３において使用される、既知のデータパターンであり得る。次いで、各ストリームの多重化されたパイロットデータおよびコード化データは、変調シンボルを与えるために、そのデータストリーム用に選択された特定の変調方式（たとえば、２位相シフトキーイング（ＢＰＳＫ）、４位相シフトキーイング（ＱＰＳＫ）、多値位相シフトキーイング（Ｍ−ＰＳＫ）、多値直交振幅変調（Ｍ−ＱＡＭ））に基づいて変調（すなわち、シンボルマッピング）される。各データストリームのデータレート、コーディング、および変調は、プロセッサによって実行される命令によって判断され得る。
【０１８０】
次いで、すべてのデータストリームの変調シンボルが送信（ＴＸ）多入力多出力（ＭＩＭＯ）プロセッサ１１４３に与えられ、送信（ＴＸ）多入力多出力（ＭＩＭＯ）プロセッサ１１４３はさらに（たとえば、ＯＦＤＭ用に）その変調シンボルを処理し得る。次いで、送信（ＴＸ）多入力多出力（ＭＩＭＯ）プロセッサ１１４３はＮＴ個の変調シンボルストリームをＮＴ個の送信機（ＴＭＴＲ）１１５１ａ〜１１５１ｔに与える。送信（ＴＸ）多入力多出力（ＭＩＭＯ）プロセッサ１１４３は、データストリームのシンボルと、シンボルがそこから送信されているアンテナ１１４９とにビームフォーミング重みを付与し得る。
【０１８１】
各送信機１１５１は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与え得る。次いで、送信機１１５１ａ〜１１５１ｔからのＮＴ個の変調信号は、それぞれＮＴ個のアンテナ１１４９ａ〜１１４９ｔから送信される。
【０１８２】
受信機１１６３において、送信された被変調信号はＮＲ個のアンテナ１１５３ａ〜１１５３ｒによって受信され、各アンテナ１１５３からの受信信号は、それぞれの受信機（ＲＣＶＲ）１１５５ａ〜１１５５ｒに与えられる。各受信機１１５５は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【０１８３】
次いで、ＲＸデータプロセッサ１１５７は、ＮＲ個の受信機１１５５からＮＲ個の受信シンボルストリームを受信し、特定の受信機処理技法に基づいて処理して、ＮＴ個の「検出」シンボルストリームを与える。次いで、ＲＸデータプロセッサ１１５７は、各検出シンボルストリームを復調し、デインターリーブし、復号して、データストリームに対するトラフィックデータを回復する。ＲＸデータプロセッサ１１５７による処理は、送信機システム１１４１におけるＴＸ  ＭＩＭＯプロセッサ１１４３およびＴＸデータプロセッサ１１３５によって実行される処理を補足するものであり得る。
【０１８４】
プロセッサ１１６５は、どのプリコーディング行列を使用すべきかを定期的に判断し得る。プロセッサ１１６５は、メモリ１１５９上に情報を記憶し、メモリ１１５９から情報を取り出し得る。プロセッサ１１６５は、行列インデックス部とランク値部とを備える逆方向リンクメッセージを作成する。逆方向リンクメッセージは、チャネル状態情報（ＣＳＩ）と呼ばれることがある。逆方向リンクメッセージは、通信リンクおよび／または受信データストリームに関する様々なタイプの情報を備え得る。次いで、逆方向リンクメッセージは、データソース１１６９からいくつかのデータストリームのトラフィックデータをも受信するＴＸデータプロセッサ１１６７によって処理され、変調器１１６１によって変調され、送信機１１５５ａ〜１１５５ｒによって調整され、送信機１１４１に返信される。
【０１８５】
送信機１１４１において、受信機からの変調信号は、アンテナ１１４９によって受信され、受信機１１５１によって調整され、復調器１１４７によって復調され、受信機システム１１６３によって送信された逆方向リンクメッセージを抽出するためにＲＸデータプロセッサ１１３９によって処理される。プロセッサ１１３７は、ＲＸデータプロセッサ１１３９からチャネル状態情報（ＣＳＩ）を受信し得る。プロセッサ１１３７は、メモリ１１４５上に情報を記憶し、メモリ１１４５から情報を取り出し得る。次いで、プロセッサ１１３７は、ビームフォーミング重みを決定するためにどのプリコーディング行列を使用すべきかを決定し、抽出されたメッセージを処理する。上記で説明した基地局１１８、２１８および／またはｅＮＢ６１８、７１８は、図１１に示す送信機１１４１と同様に構成され得る。上記で説明した１つまたは複数のワイヤレス通信デバイス１０２、２０２、および／あるいは１つまたは複数のＵＥ６０２、７０２は、図１１に示す受信機１１６３と同様に構成され得る。
【０１８６】
図１２に、上記で説明した方式またはプロセスを実行するための装置１２７１の例示的なハードウェア実装形態の一部を示す。装置１２７１は、以下で説明する回路を備える。本明細書および添付の特許請求の範囲では、「回路」という用語は、機能上の用語ではなく構造上の用語として解釈されることが明らかなはずである。たとえば、回路は、図１２に図示および説明する処理および／またはメモリセル、ユニット、ブロックなどの形態の回路構成要素の集合体、たとえば、多数の集積回路構成要素とすることができる。
【０１８７】
本実施形態では、回路装置は、参照番号１２７１によって示され、基地局１１８、２１８および／またはｅＮＢ６１８、７１８などの本明細書で説明する通信エンティティのいずれにも実装され得る。
【０１８８】
装置１２７１は、いくつかの回路を互いにリンクする中央データバス１２８３を備える。回路は、ＣＰＵ（中央処理装置）またはコントローラ１２８５と、受信回路１２８１と、送信回路１２７３と、メモリユニット１２７９とを含む。
【０１８９】
装置１２７１がワイヤレスデバイスの一部である場合、受信回路１２８１および送信回路１２７３は、ＲＦ（無線周波数）回路（図面に図示せず）に接続され得る。受信回路１２８１は、受信信号を処理し、バッファした後、その信号をデータバス１２８３に送る。一方、送信回路１２７３は、データバス１２８３からのデータを処理し、バッファした後、そのデータをデバイス１２７１の外側に送る。ＣＰＵ／コントローラ１２８５は、データバス１２８３のデータ管理の機能、さらに、メモリユニット１２７９の命令コンテンツを実行することを含む、一般的なデータ処理の機能を実行する。
【０１９０】
メモリユニット１２７９は、参照番号１２７５によって概略的に示されたモジュールおよび／または命令のセットを含む。この実施形態では、モジュール／命令は、特に、上記で説明した方式およびプロセスを実行するネイバーリレーション機能１２７７を含む。機能１２７７は、図１〜図４、図６〜図９および／または図１１に図示および説明したプロセスステップを実行するためのコンピュータ命令またはコードを含む。エンティティに特有の特定の命令は、機能１２７７中に選択的に実装され得る。たとえば、装置１２７１が基地局１１８、２１８またはｅＮＢ６１８、７１８の一部である場合、特に、図１〜図４、図６〜図９および／または図１１に図示および説明した基地局１１８、２１８またはｅＮＢ６１８、７１８に特有の命令は、機能１２７７中にコーディングされ得る。
【０１９１】
この実施形態では、メモリユニット１２７９はＲＡＭ（ランダムアクセスメモリ）回路である。機能１２７７などの例示的な機能は、１つまたは複数のソフトウェアルーチン、モジュールおよび／またはデータセットを含む。メモリユニット１２７９は、揮発性タイプまたは不揮発性タイプのいずれかであり得る別のメモリ回路（図示せず）に結合され得る。代替として、メモリユニット１２７９は、ＥＥＰＲＯＭ（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。
【０１９２】
図１３に、上記で説明した方式またはプロセスを実行するための装置１３００の例示的なハードウェア実装形態の一部を示す。装置１３００は、以下で説明する回路を備える。本明細書および添付の特許請求の範囲では、「回路」という用語は、機能上の用語ではなく構造上の用語として解釈されることが明らかなはずである。たとえば、回路は、図１３に図示および説明する処理および／またはメモリセル、ユニット、ブロックなどの形態の回路構成要素の集合体、たとえば、多数の集積回路構成要素とすることができる。
【０１９３】
本実施形態では、回路装置は、参照番号１３００によって示され、電子デバイス１４６、２４６および／または中央ユニット６４６、７４６などの本明細書で説明する通信エンティティのいずれにも実装され得る。
【０１９４】
装置１３００は、いくつかの回路を互いにリンクする中央データバス１３９９を備える。回路は、ＣＰＵ（中央処理装置）またはコントローラ１３８７と、受信回路１３９７と、送信回路１３８９と、メモリユニット１３９５とを含む。
【０１９５】
装置１３００がワイヤレスデバイスの一部である場合、受信回路１３９７および送信回路１３８９は、ＲＦ（無線周波数）回路（図面に図示せず）に接続され得る。受信回路１３９７は、受信信号を処理し、バッファした後、その信号をデータバス１３９９に送る。一方、送信回路１３８９は、データバス１３９９からのデータを処理し、バッファした後、そのデータをデバイス１３００の外側に送る。ＣＰＵ／コントローラ１３８７は、データバス１３９９のデータ管理の機能、さらに、メモリユニット１３９５の命令コンテンツを実行することを含む、一般的なデータ処理の機能を実行する。
【０１９６】
メモリユニット１３９５は、参照番号１３９１によって概略的に示されたモジュールおよび／または命令のセットを含む。この実施形態では、モジュール／命令は、特に、上記で説明した方式およびプロセスを実行するクラスタリング機能１３９３を含む。機能１３９３は、図１〜図２、図５〜図７および／または図１０に図示および説明したプロセスステップを実行するためのコンピュータ命令またはコードを含む。エンティティに特有の特定の命令は、機能１３９３中に選択的に実装され得る。たとえば、装置１３００が電子デバイス１４６、２４６または中央ユニット６４６、７４６の一部である場合、特に、図１〜図２、図５〜図７および図１０に図示および説明した電子デバイス１４６、２４６または中央ユニット６４６、７４６に特有の命令は、機能１３９３中にコーディングされ得る。
【０１９７】
この実施形態では、メモリユニット１３９５はＲＡＭ（ランダムアクセスメモリ）回路である。機能１３９３などの例示的な機能は、１つまたは複数のソフトウェアルーチン、モジュールおよび／またはデータセットを含む。メモリユニット１３９５は、揮発性タイプまたは不揮発性タイプのいずれかであり得る別のメモリ回路（図示せず）に結合され得る。代替として、メモリユニット１３９５は、ＥＥＰＲＯＭ（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。
【０１９８】
上記の説明では、様々な用語とともに参照番号を時々使用した。用語が参照番号とともに使用されている場合、これは、１つまたは複数の図に示された特定の要素を指すものとされ得る。用語が参照番号なしに使用されている場合、これは、概して特定の図に限定されない用語を指すものとされ得る。
【０１９９】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【０２００】
「に基づいて」という句は、別段に明記されていない限り、「のみに基づいて」を意味しない。言い換えれば、「に基づいて」という句は、「のみに基づいて」と「に少なくとも基づいて」の両方を表す。
【０２０１】
本明細書で説明した機能は、１つまたは複数の命令としてコンピュータ可読媒体上に記憶され得る。「コンピュータ可読媒体」という用語は、コンピュータまたはプロセッサによってアクセスされ得る任意の利用可能な媒体を指す。限定ではなく、例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータまたはプロセッサによってアクセスされ得る、任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０２０２】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０２０３】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。すなわち、本明細書で説明する方法の適切な動作のためにステップまたはアクションの特定の順序が必要とされない限り、特定のステップおよび／またはアクションの順序および／または使用は、特許請求の範囲を逸脱することなく修正され得る。
【０２０４】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な改変、変更および変形が行われ得る。
【０２０５】
いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
【図１】
2013530637.tif 000009
【図２】
2013530637.tif 000010
【図３】
2013530637.tif 000011
【図４】
2013530637.tif 000012
【図５】
2013530637.tif 000013
【図６】
2013530637.tif 000014
【図７】
2013530637.tif 000015
【図８】
2013530637.tif 000016
【図９】
2013530637.tif 000017
【図１０】
2013530637.tif 000018
【図１１】
2013530637.tif 000019
【図１２】
2013530637.tif 000020
【図１３】
2013530637.tif 000021
【国際調査報告】
2013530637.tif 000022
2013530637.tif 000023
2013530637.tif 000024
2013530637.tif 000025